(57)【特許請求の範囲】
【請求項１】
処理回路構成を備えるユーザ機器（ＵＥ）であって、前記処理回路構成が、
物理アップリンク共有チャネル送信のアップリンク電力制御に使用される電力Ｐを導き出し、
前記ＵＥがコードブックベースの送信または非コードブックベースの送信のどちらを使用しているのかを決定し、
前記ＵＥが前記物理アップリンク共有チャネル送信にコードブックベースの送信または非コードブックベースの送信のどちらを利用しているかに応じて決まる規則にしたがって、前記電力Ｐに基づいてアンテナポートセットに使用される電力を決定する
ように設定され、前記アンテナポートセットが、前記物理アップリンク共有チャネル送信が非ゼロ電力で送信されるアンテナポートであり、
前記規則が、非コードブックベースのプリコーディングの場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信される前記アンテナポートセットの間で前記電力Ｐを均等に分割するように更に設定されるような規則であり、
前記規則が、コードブックベースの送信の場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信されるアンテナポートの数と、前記ＵＥにおけるサウンディング参照信号（ＳＲＳ）リソースのＳＲＳポートの数との比で電力Ｐを基準化することによって、第２の電力Ｐ’を導き出し、
前記物理アップリンク共有チャネル送信が非ゼロ電力で送信される前記アンテナポートセットの間で前記第２の電力Ｐ’を均等に分割するように更に設定されるような規則である、ＵＥ。
【請求項２】
前記ＵＥがインターフェースを更に備え、前記処理回路構成が、前記インターフェースを介して、前記アンテナポートセットを使用して前記物理アップリンク共有チャネル送信を送信するように更に設定される、請求項１に記載のＵＥ。
【請求項３】
前記規則が、非コードブックベースのプリコーディングおよび相反性ベースの送信の場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信される前記アンテナポートセットの間で前記電力Ｐを均等に分割するように更に設定されるような規則である、請求項１に記載のＵＥ。
【請求項４】
前記規則が、前記規則にしたがって前記電力Ｐに基づいて前記アンテナポートセットに対して使用される前記電力を決定するために、前記処理回路構成が、
比
0006866504.tif 000030
であって、式中、ρは、前記物理アップリンク共有チャネル送信に使用されるアンテナポートの数、ρ０は、前記物理アップリンク共有チャネル送信が非ゼロ電力で送信されるアンテナポートの数、
コードブックベースの送信の場合に前記ＵＥが完全コヒーレンス送信能力を有する場合、Ｋ＝１、
４つのアンテナポートを用いるコードブックベースの送信の場合に、前記ＵＥが部分コヒーレンス送信能力を有する場合、Ｋ＝２、
コードブックベースの送信および２つまたは４つのアンテナポートの場合に、前記ＵＥが非コヒーレンス送信能力を有する場合、それぞれＫ＝２またはＫ＝４である、比を導き出し、
前記電力Ｐを比β＝ｍｉｎ｛１，α｝で基準化することによって、第２の電力Ｐ’を導き出し、
前記物理アップリンク共有チャネル送信が非ゼロ電力で送信される前記アンテナポートセットの間で前記第２の電力Ｐ’を均等に分割する
ように更に設定されるような規則である、請求項１に記載のＵＥ。
【請求項５】
前記比が、所定の値のセットから前記比を選択することによって導き出される、請求項１に記載のＵＥ。
【請求項６】
前記規則が、
完全コヒーレンス送信を実施する能力、部分コヒーレンス送信を実施する能力、非コヒーレンス送信を実施する能力から成るＵＥ能力群からの少なくとも２つのＵＥ能力、ならびに／あるいは、
コードブックベースおよび非コードブックベース両方の送信に関して、ランク１の送信に対して前記第２の電力Ｐ’が前記電力Ｐに等しくてもよいような規則である、請求項３に記載のＵＥ。
【請求項７】
処理回路構成を備えるユーザ機器（ＵＥ）において実施される方法であって、
物理アップリンク共有チャネル送信のアップリンク電力制御に使用される電力Ｐを導き出すことと、
前記ＵＥがコードブックベースの送信または非コードブックベースの送信のどちらを使用しているのかを決定することと、
前記ＵＥが前記物理アップリンク共有チャネル送信にコードブックベースの送信または非コードブックベースの送信のどちらを利用しているかに応じて決まる規則にしたがって、前記電力Ｐに基づいてアンテナポートセットに使用される電力を決定することであって、前記アンテナポートセットが、前記物理アップリンク共有チャネル送信が非ゼロ電力で送信されるアンテナポートである、電力を決定することと
を含み、
前記規則が、非コードブックベースのプリコーディングの場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信される前記アンテナポートセットの間で前記電力Ｐを均等に分割するように更に設定されるような規則であり、
前記規則が、コードブックベースの送信の場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信されるアンテナポートの数と、前記ＵＥにおけるサウンディング参照信号（ＳＲＳ）リソースのＳＲＳポートの数との比で電力Ｐを基準化することによって、第２の電力Ｐ’を導き出し、
前記物理アップリンク共有チャネル送信が非ゼロ電力で送信される前記アンテナポートセットの間で前記第２の電力Ｐ’を均等に分割するように更に設定されるような規則である、方法。
【請求項８】
前記アンテナポートセットを使用して前記物理アップリンク共有チャネル送信を送信することを更に含む、請求項７に記載の方法。
【請求項９】
前記規則が、非コードブックベースのプリコーディングおよび相反性ベースの送信の場合、前記規則にしたがって前記電力Ｐに基づいて前記アンテナポートセットに対して使用される前記電力を決定することが、
前記物理アップリンク共有チャネル送信が非ゼロ電力で送信される前記アンテナポートセットの間で前記電力Ｐを均等に分割することを含むような規則である、請求項７に記載の方法。
【請求項１０】
前記規則が、前記規則にしたがって前記電力Ｐに基づいて前記アンテナポートセットに対して使用される前記電力を決定することが、
比
0006866504.tif 000031
であって、式中、ρは、前記物理アップリンク共有チャネル送信に使用されるアンテナポートの数、ρ０は、前記物理アップリンク共有チャネル送信が非ゼロ電力で送信されるアンテナポートの数、
コードブックベースの送信の場合に前記ＵＥが完全コヒーレンス送信能力を有する場合、Ｋ＝１、
４つのアンテナポートを用いるコードブックベースの送信の場合に、前記ＵＥが部分コヒーレンス送信能力を有する場合、Ｋ＝２、
コードブックベースの送信および２つまたは４つのアンテナポートの場合に、前記ＵＥが非コヒーレンス送信能力を有する場合、それぞれＫ＝２またはＫ＝４である、比を導き出すことと、
前記電力Ｐを比β＝ｍｉｎ｛１，α｝で基準化することによって、第２の電力Ｐ’を導き出すことと、
前記物理アップリンク共有チャネル送信が非ゼロ電力で送信される前記アンテナポートセットの間で前記第２の電力Ｐ’を均等に分割することと
を含むような規則である、請求項７に記載の方法。
【請求項１１】
前記規則が、前記規則にしたがって前記電力Ｐに基づいて前記アンテナポートセットに対して使用される前記電力を決定することが、
前記物理アップリンク共有チャネル送信に対してコードブックベースの送信または非コードブックベースの送信のどちらを利用しているか、ならびに、
完全コヒーレンス、部分コヒーレンス、または非コヒーレンス送信に関する前記ＵＥの能力、
非ゼロ物理アップリンク共有チャネルが送信される、前記アンテナポートセットにおけるアンテナポートの数、
前記物理アップリンク共有チャネル送信に使用される、前記アンテナポートセットにおけるアンテナポートの数、および／あるいは、
前記ＵＥ（５１０）の前記アンテナポートセットにおけるアンテナポートの数
に応じて決まる関数として導き出される比で、前記電力Ｐを基準化することによって、第２の電力Ｐ’を導き出すことを含むような規則である、請求項７に記載の方法。
【請求項１２】
処理回路構成を備えるユーザ機器（ＵＥ）において実施される方法であって、
物理アップリンク共有チャネル送信のアップリンク電力制御に使用される電力Ｐを導き出すことと、
前記ＵＥがコードブックベースの送信または非コードブックベースの送信のどちらを使用しているのかを決定することと、
完全コヒーレンス、部分コヒーレンス、または非コヒーレンス送信に関する前記ＵＥの能力に応じて決まる規則にしたがって、前記電力Ｐに基づいてアンテナポートセットに使用される電力を決定することであって、前記アンテナポートセットが、前記物理アップリンク共有チャネル送信が非ゼロ電力で送信されるアンテナポートである、電力を決定することと
を含み、
前記規則が、非コードブックベースのプリコーディングの場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信される前記アンテナポートセットの間で前記電力Ｐを均等に分割するように更に設定されるような規則であり、
前記規則が、コードブックベースの送信の場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信されるアンテナポートの数と、前記ＵＥにおけるサウンディング参照信号（ＳＲＳ）リソースのＳＲＳポートの数との比で電力Ｐを基準化することによって、第２の電力Ｐ’を導き出し、
前記物理アップリンク共有チャネル送信が非ゼロ電力で送信される前記アンテナポートセットの間で前記第２の電力Ｐ’を均等に分割するように更に設定されるような規則である、方法。
【請求項１３】
前記物理アップリンク共有チャネル送信が非ゼロ電力で送信される前記アンテナポートセットを使用して、前記物理アップリンク共有チャネル送信を送信することを更に含む、請求項１２に記載の方法。
【請求項１４】
前記規則が、非コードブックベースのプリコーディングおよび相反性ベースの送信の場合、前記規則にしたがって前記電力Ｐに基づいて前記アンテナポートセットに対して使用される前記電力を決定することが、
前記物理アップリンク共有チャネル送信が非ゼロ電力で送信される前記アンテナポートセットの間で前記電力Ｐを均等に分割することを含むような規則である、請求項１２に記載の方法。
【請求項１５】
前記規則が、前記規則にしたがって前記電力Ｐに基づいて前記アンテナポートセットに対して使用される前記電力を決定することが、
比
0006866504.tif 000032
であって、式中、ρは、前記物理アップリンク共有チャネル送信に使用されるアンテナポートの数、ρ０は、前記物理アップリンク共有チャネル送信が非ゼロ電力で送信されるアンテナポートの数、
コードブックベースの送信の場合に前記ＵＥが完全コヒーレンス送信能力を有する場合、Ｋ＝１、
４つのアンテナポートを用いるコードブックベースの送信の場合に、前記ＵＥが部分コヒーレンス送信能力を有する場合、Ｋ＝２、
コードブックベースの送信および２つまたは４つのアンテナポートの場合に、前記ＵＥが非コヒーレンス送信能力を有する場合、それぞれＫ＝２またはＫ＝４である、比を導き出すことと、
前記電力Ｐを比β＝ｍｉｎ｛１，α｝で基準化することによって、第２の電力Ｐ’を導き出すことと、
前記物理アップリンク共有チャネル送信が非ゼロ電力で送信される前記アンテナポートセットの間で前記第２の電力Ｐ’を均等に分割することと
を含むような規則である、請求項１２に記載の方法。
【請求項１６】
処理回路構成を備えるユーザ機器（ＵＥ）であって、前記処理回路構成が、
物理アップリンク共有チャネル送信のアップリンク電力制御に使用される電力Ｐを導き出し、
前記ＵＥがコードブックベースの送信または非コードブックベースの送信のどちらを使用しているのかを決定し、
完全コヒーレンス、部分コヒーレンス、または非コヒーレンス送信に関する前記ＵＥの能力に応じて決まる規則にしたがって、前記電力Ｐに基づいてアンテナポートセットに使用される電力を決定する
ように設定され、前記アンテナポートセットが、前記物理アップリンク共有チャネル送信が非ゼロ電力で送信されるアンテナポートであり、
前記規則が、非コードブックベースのプリコーディングの場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信される前記アンテナポートセットの間で前記電力Ｐを均等に分割するように更に設定されるような規則であり、
前記規則が、コードブックベースの送信の場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信されるアンテナポートの数と、前記ＵＥにおけるサウンディング参照信号（ＳＲＳ）リソースのＳＲＳポートの数との比で電力Ｐを基準化することによって、第２の電力Ｐ’を導き出し、
前記物理アップリンク共有チャネル送信が非ゼロ電力で送信される前記アンテナポートセットの間で前記第２の電力Ｐ’を均等に分割するように更に設定されるような規則である、ＵＥ。
【請求項１７】
前記ＵＥがインターフェースを更に備え、前記処理回路構成が、前記インターフェースを介して、前記アンテナポートセットを使用して前記物理アップリンク共有チャネル送信を送信するように更に設定される、請求項１６に記載のＵＥ。
【請求項１８】
前記規則が、非コードブックベースのプリコーディングおよび相反性ベースの送信の場合、前記規則にしたがって前記電力Ｐに基づいて前記アンテナポートセットに対して使用される前記電力を決定するために、前記処理回路構成が、
前記物理アップリンク共有チャネル送信が非ゼロ電力で送信される前記アンテナポートセットの間で前記電力Ｐを均等に分割するように更に設定されるような規則である、請求項１６に記載のＵＥ。
【請求項１９】
前記規則が、前記規則にしたがって前記電力Ｐに基づいて前記アンテナポートセットに対して使用される前記電力を決定するために、前記処理回路構成が、
比
0006866504.tif 000033
であって、式中、ρは、前記物理アップリンク共有チャネル送信に使用されるアンテナポートの数、ρ０は、前記物理アップリンク共有チャネル送信が非ゼロ電力で送信されるアンテナポートの数、
コードブックベースの送信の場合に前記ＵＥが完全コヒーレンス送信能力を有する場合、Ｋ＝１、
４つのアンテナポートを用いるコードブックベースの送信の場合に、前記ＵＥが部分コヒーレンス送信能力を有する場合、Ｋ＝２、
コードブックベースの送信および２つまたは４つのアンテナポートの場合に、前記ＵＥが非コヒーレンス送信能力を有する場合、それぞれＫ＝２またはＫ＝４である、比を導き出し、
前記電力Ｐを比β＝ｍｉｎ｛１，α｝で基準化することによって、第２の電力Ｐ’を導き出し、
前記物理アップリンク共有チャネル送信が非ゼロ電力で送信される前記アンテナポートセットの間で前記第２の電力Ｐ’を均等に分割する
ように更に設定されるような規則である、請求項１６に記載のＵＥ。
【請求項２０】
前記比が、所定の値のセットから前記比を選択することによって導き出される、請求項１６に記載のＵＥ。
【発明の詳細な説明】
【技術分野】
【０００１】
関連出願
本出願は、２０１８年４月６日に出願された仮特許出願第６２／６５４，２８６号の利益を主張し、その開示の全体を参照により本明細書に援用する。
【０００２】
開示する主題は、概して、電気通信に関する。特定の実施形態は、より詳細には、新無線（ＮＲ）、アップリンク（ＵＬ）電力制御、非コードブックベースのプリコーディング、コードブックベースのプリコーディング、およびシングルユーザ多入力多出力（ＭＩＭＯ）通信に関する。
【背景技術】
【０００３】
次世代移動体無線通信システム（第５世代（５Ｇ））、即ち新無線（ＮＲ）は、広範な使用事例および広範な配備シナリオに対応するようになる。後者は、今日のロングタームエボリューション（ＬＴＥ）と同様の低周波数、即ち数百メガヘルツ（ＭＨｚ）と、超高周波数、即ち数十ギガヘルツ（ＧＨｚ）のミリメートル（ｍｍ）波の両方での展開を含む。
【０００４】
コードブックベースのプリコーディング
マルチアンテナ技術は、無線通信システムのデータ転送率および信頼性を大幅に増大させることができる。性能は、特に、送信機および受信機両方が複数のアンテナを備える場合に改善され、それによって多入力多出力（ＭＩＭＯ）通信チャネルがもたらされる。かかるシステムおよび／または関連技術は一般にＭＩＭＯと呼ばれる。
【０００５】
ＮＲ規格は最近規定されている。ＮＲのコア構成要素は、ＭＩＭＯアンテナ展開およびＭＩＭＯ関連技術に対応することである。ＮＲは、チャネル依存のプリコーディングを用いる少なくとも４つのアンテナポートを使用する、少なくとも４レイヤの空間多重化を含むアップリンクＭＩＭＯに対応するようになる。空間多重化モードは、好ましいチャネル条件における高データ転送率を目標とする。サイクリックプレフィックス直交周波数分割多重（ＣＰ−ＯＦＤＭ）がアップリンク（ＵＬ）で使用される、空間多重化動作の例示を図１に示している。
【０００６】
図で分かるように、情報伝達シンボルベクトルｓは、ＮＴ×ｒのプリコーダ行列Ｗによって乗算されて、ＮＴ（ＮＴ個のアンテナポートに対応）次元ベクトル空間の部分空間において送信エネルギーを分配するのに役立つ。プリコーダ行列は、一般的に、可能なプリコーダ行列のコードブックから選択され、また一般的に、所与の数のシンボルストリームに対してコードブック内の一意のプリコーダ行列を指定する、送信プリコーダ行列インジケータ（ＴＰＭＩ）によって指示される。ｓにおけるｒ個のシンボルはそれぞれレイヤに対応し、ｒは送信ランクと呼ばれる。このように、同じ時間／周波数リソース要素（ＴＦＲＥ）を通じて複数のシンボルを同時に送信することができるので、空間多重化が達成される。シンボルｒの数は、一般的に、現在のチャネル特性に適するように適合される。
【０００７】
したがって、サブキャリアｎ（あるいは、データＴＦＲＥ数ｎ）における特定のＴＦＲＥに対して、受信したＮＲ×１のベクトルｙｎは、次式によってモデル化される。
ｙｎ＝ＨｎＷｓｎ＋ｅｎ
式中、ｅｎは、ランダムプロセスの実施の際に得られるノイズ／干渉ベクトルである。プリコーダＷは、周波数を通じて一定であるかまたは周波数選択的である、広帯域プリコーダであることができる。
【０００８】
プリコーダ行列Ｗは、ＮＲ×ＮＴのＭＩＭＯチャネル行列Ｈｎの特徴に合致するように選ばれる場合が多く、それによっていわゆるチャネル依存のプリコーディングがもたらされる。これはまた、一般に閉ループプリコーディングと呼ばれ、本質的に、送信されたエネルギーの多くをユーザ機器デバイス（ＵＥ）へと伝えるという意味で強力である部分空間に送信エネルギーを集中させるように努める。それに加えて、プリコーダ行列はまた、チャネルを直交化するよう努めるように選択されてもよく、つまり、ＵＥにおいて適切に線形等化された後、レイヤ間干渉が低減される。
【０００９】
ＵＥがプリコーダ行列Ｗを選択する一例の方法は、仮定された等価チャネルのフロベニウスノルムを最大限にするＷｋを選択するものであることができる。
0006866504.tif 000002
式中、
0006866504.tif 000003
は、場合によってはＳＲＳから導き出された、チャネル推定値、
Ｗｋは、指数ｋの仮定されたプリコーダ行列、
0006866504.tif 000004
は、仮定された等価チャネルである。
【００１０】
ＮＲアップリンクの閉ループプリコーディングでは、送受信ポイント（ＴＲＰ）は、逆方向リンク（ＵＬ）におけるチャネル測定に基づいて、ＴＰＭＩをＵＥに送信し、ＵＥはそれをＵＬアンテナで使用すべきである。ＮＲ基地局（ｇＮＢ）は、ＵＥがＵＬ送信に使用してチャネル測定ができるようにする、ＵＥアンテナの数にしたがって、サウンディング参照信号（ＳＲＳ）を送信するようにＵＥを設定する。大きい帯域幅（広帯域プリコーディング）をカバーすると想定される単一のプリコーダがシグナリングされてもよい。
【００１１】
ＴＰＭＩ以外の情報は、一般に、ＳＲＳリソースインジケータ（ＳＲＩ）、ならびに送信ランクインジケータ（ＴＲＩ）など、ＵＬ  ＭＩＭＯ送信状態を決定するのに使用される。これらのパラメータ、ならびに変調およびコーディング状態（ＭＣＳ）、および物理アップリンク共有チャネル（ＰＵＳＣＨ）が送信されるＵＬリソースも、ＵＥからのＳＲＳ送信から導き出されるチャネル測定によって決定される。送信ランク、またしたがって空間多重化レイヤの数は、プリコーダＷのコラムの数に反映される。効率的な性能のため、チャネル特性に合致する送信ランクが選択されることが重要である。
【００１２】
ＮＲにおけるＳＲＳ送信
ＳＲＳは、ＬＴＥで様々な目的で使用され、ＮＲにおいて同様の目的に役立つことが予測される。ＳＲＳの１つの主要な用途は、ＵＬチャネル状態推定であって、チャネル品質推定によって、ＵＬリンクの適合（ＵＥがどのＭＣＳ状態で送信を行うかの決定を含む）および／または周波数選択的スケジューリングを可能にすることができる。ＵＬ  ＭＩＭＯに関連して、ＵＥがＵＬアンテナアレイでの送信に使用するとき、良好なＵＬスループットおよび／または信号対干渉雑音比（ＳＩＮＲ）を提供する、プリコーダおよび多数のレイヤの決定に使用することもできる。更なる用途としては、電力制御およびＵＬタイミングアドバンス調節が挙げられる。
【００１３】
ＬＴＥリリース１４とは異なり、少なくともいくつかのＮＲ  ＵＥは、複数のＳＲＳリソースを送信することができてもよい。これは、ダウンリンク（ＤＬ）における複数のチャネル状態情報参照信号（ＣＳＩ−ＲＳ）リソースと概念的に類似しており、ＳＲＳリソースは１つまたは複数のＳＲＳポートを備え、ＵＥは、ビーム成形器および／またはプリコーダをＳＲＳリソース内のＳＲＳポートに適用して、同じ実効アンテナパターンで送信されるようにしてもよい。ＵＥにおいて複数のＳＲＳリソースを規定する主な動機付けは、ＵＥが様々なビームパターンで、ただし一度に１つのみ送信することができる、ＵＥのアナログビーム成形に対応することである。かかるアナログビーム成形は、特にＮＲが対応することができる高い周波数において、比較的高い指向性を有してもよい。初期のＬＴＥアップリンクＭＩＭＯおよび送信ダイバーシティ設計は、高い指向性のビーム成形を異なるＳＲＳポートに使用することができる事例に焦点を当てておらず、そのため単一のＳＲＳリソースで十分だった。ＮＲ  ＵＥが異なるビームで送信すると、ＴＲＰが受信する電力は実質的に異なることができる。１つの方策は、単一のＳＲＳリソースを有し、ただし、ビームのうちどれを送信に使用するかをＵＥに示すことであり得る。しかしながら、ＵＥアンテナ設計はＵＥ同士で大きく異なり、ＵＥアンテナパターンは非常に不規則な場合があるので、ＴＲＰがＵＥ  ＵＬプリコーディングまたはビーム成形を制御するのに用いることができる、所定のＵＥアンテナパターンセットを有することは実行不能である。したがって、ＮＲ  ＵＥは、離散的な実効アンテナパターンを各ＳＲＳリソースに使用して複数のＳＲＳリソースで送信して、ＵＥが使用する異なる実効アンテナパターンに対して、ＴＲＰが複合チャネル特性および品質を決定するのを可能にしてもよい。各実効アンテナパターンと対応するＳＲＳリソースとのこの関連を所与として、ＴＲＰは次に、１つまたは複数の実効アンテナパターンのどれを、ＰＵＳＣＨ（または他の物理チャネルもしくは信号）での送信に使用すべきかを、１つまたは複数のＳＲＳリソースインジケータ（「ＳＲＩ」）を通して、ＵＥに示すことができる。
【００１４】
非コードブックベースのプリコーディング
ＮＲはまた、コードブックベースのプリコーディングに加えて、ＰＵＳＣＨの非コードブックベースの送信／プリコーディングに対応する。この方式の場合、ＳＲＳリソースセットが送信され、各ＳＲＳリソースは、ＵＥが選択した何らかのプリコーダによってプリコーディングされた１つのＳＲＳポートに対応する。ｇＮＢは次に、送信されたＳＲＳリソースを測定し、１つまたは複数のＳＲＩをＵＥにフィードバックして、参照されたＳＲＳリソースに対応するプリコーダを使用してＰＵＳＣＨ送信を実施するようにＵＥに命令することができる。この場合のランクは、ＵＥにフィードバックされたＳＲＩの数から決定される。
【００１５】
「非コードブック」に対してセットされた上位レイヤパラメータＳＲＳ−ＡｓｓｏｃＣＳＩＲＳおよび上位レイヤパラメータｕｌＴｘＣｏｎｆｉｇを用いてＵＥを設定することによって、ＵＥは、非ゼロ電力（ＮＺＰ）ＣＳＩ−ＲＳを用いて、ＳＲＳおよびＰＵＳＣＨ送信に使用されるプリコーダを作成するのに相反性を利用するように設定されてもよい。したがって、指定されたＣＳＩ−ＲＳに対して測定を行うことによって、ＵＥは、相反性に基づいたｇＮＢ透過プリコーディングを実施することができるようになる。
【００１６】
別の動作モードは、代わりに、各ＳＲＳリソースが１つのＵＥアンテナに対応するように、ＵＥがプリコーダを選ぶようにするものである。したがって、この場合、ＳＲＳリソースは一度に１つのＵＥアンテナから送信され、したがってＳＲＩは異なるアンテナに対応するであろう。したがって、このようにＵＥプリコーダを選ぶことによって、ｇＮＢは、次に異なるアンテナに対応するようになる異なるＳＲＩを参照することによって、ＵＥでアンテナ選択を実施できるようになる。
【００１７】
上述したように、非コードブックベースのプリコーディングは、アンテナ選択とｇＮＢ透過の相反性ベースのプリコーディングとの両方を含む。
【００１８】
ＮＲにおけるＵＥコヒーレンス能力
ＵＥの実装形態に応じて、送信チェーンの相対位相を維持するのが可能なことがある。この場合、ＵＥは、各送信チェーンにおいてビームを選択することによって、また送信チェーン間の異なるゲインおよび／または位相を使用して、両方の送信チェーンの選択されたビームにおいて同じ変調シンボルを送信することによって、適応的アレイを形成することができる。位相が制御された複数のアンテナ要素における共通の変調シンボルまたは信号のこの送信は、「コヒーレント」送信と呼ぶことができる。ＬＴＥリリース１０におけるコヒーレントアップリンクＭＩＭＯ送信の対応は、ＵＬ空間多重化に対する相対送信位相連続性の機能グループ指示を介して指示され、ＵＥは、コヒーレント送信に対応するために、長時間にわたって送信チェーンの相対位相を適切に維持できるかを示す。
【００１９】
他のＵＥ実装形態では、送信チェーンの相対位相は十分に制御されないことがあり、コヒーレント送信は使用されないことがある。かかる実装形態では、一度に送信チェーンの１つで送信するか、または送信チェーンで異なる変調シンボルを送信するかが依然として可能なことがある。後者の場合、各送信チェーンの変調シンボルは、空間多重化、即ち「ＭＩＭＯ」レイヤを形成してもよい。この送信クラスは、「非コヒーレント」送信と呼ばれることがある。かかる非コヒーレント送信方式は、複数の送信チェーンを有するが、相対送信位相連続性には対応していない、ＬＴＥリリース１０のＵＥによって使用されてもよい。
【００２０】
更に他のＵＥ実装形態では、送信チェーンのサブセットの相対位相は十分に制御されているが、全ての送信チェーンに対してではない。１つの可能なかかる例は、パネル内の送信チェーンの間では位相が十分に制御されるが、パネル間の位相は十分に制御されない、マルチパネル動作である。この送信クラスは、「部分コヒーレント」と呼ばれることがある。
【００２１】
相対位相制御のこれらの変形例は３つともＮＲに対応することが合意されているので、完全コヒーレンス、部分コヒーレンス、および非コヒーレント送信に対してＵＥ能力が規定されている。完全コヒーレンス、部分コヒーレンス、および非コヒーレントＵＥ能力は、第３世代パートナーシッププロジェクト（３ＧＰＰ）技術仕様書（ＴＳ）３８．３３１バージョン１５．０．１の専門用語集にしたがって、「ｆｕｌｌＡｎｄＰａｒｔｉａｌＡｎｄＮｏｎＣｏｈｅｒｅｎｔ」、「ｐａｒｔｉａｌＣｏｈｅｒｅｎｔ」、および「ｎｏｎＣｏｈｅｒｅｎｔ」とそれぞれ特定される。この専門用語集は、完全コヒーレント送信に対応するＵＥが部分および非コヒーレント送信にも対応することができるため、また部分コヒーレント送信に対応するＵＥが非コヒーレント送信にも対応することができるために使用される。そのため、ＵＥは、そのコヒーレンス能力によって対応することができるＵＬ  ＭＩＭＯコードブックのサブセットを使用して、送信するように設定することができる。３８．２１４のセクション６．１．１では、ＵＥは、完全コヒーレント、部分コヒーレント、および非コヒーレント送信チェーンを用いてＵＥが対応することができるコードブックのサブセットをＵＥが使用することを示す、「ｆｕｌｌＡｎｄＰａｒｔｉａｌＡｎｄＮｏｎＣｏｈｅｒｅｎｔ」、「ｐａｒｔｉａｌＡｎｄＮｏｎＣｏｈｅｒｅｎｔ」、および「ｎｏｎＣｏｈｅｒｅｎｔ」の値を有することができる、上位レイヤパラメータＵＬＣｏｄｅｂｏｏｋＳｕｂｓｅｔを用いて設定することができる。
【００２２】
アンテナポート
ＴＳ  ３８．２１１  Ｖ１５．０．０のセクション６．３．１．５では、アンテナポートに対応するベクトルｚは、次のように、コードブックベースおよび非コードブックベースのプリコーディングに対して規定されている。
ベクトルのブロック
0006866504.tif 000005
は、次式にしたがってプリコーディングされるものとする。
0006866504.tif 000006
式中、
0006866504.tif 000007
アンテナポートセット｛ｐ０，…，ｐρ−１｝は、［６，ＴＳ  ３８．２１４］の手順にしたがって決定されるものとする。
非コードブックベースの送信の場合、プリコーディング行列Ｗは単位行列に等しい。
コードブックベースの送信の場合、プリコーディング行列Ｗは、単一アンテナポートの単一レイヤ送信の場合はＷ＝１によって、他の場合は、アップリンク送信をスケジューリングするＤＣＩから得られるＴＰＭＩ指数とともに、表６．３．１．５−１〜６．３．１．５−７によって与えられる。
【００２３】
ＵＬ電力制御
移動体システムにおける送信機、ＤＬの基地局、およびＵＬの移動局の出力電力レベルのセットは、一般に電力制御（ＰＣ）と呼ばれる。ＰＣの目的は、容量の改善、カバレッジ、システムの堅牢性の改善、および電力消費の低減を含む。
【００２４】
ＬＴＥでは、ＰＣメカニズムは、（ｉ）開ループ、（ｉｉ）閉ループ、および（ｉｉｉ）開ループと閉ループの組み合わせという群に分類することができる。これらは、送信電力を決定するのにどの入力が使用されるかという点で異なる。開ループの場合、送信機が受信機から送られる何らかの信号を測定し、これに基づいて出力電力をセットする。閉ループの場合、受信機が送信機からの信号を測定し、これに基づいて送信電力制御（ＴＰＣ）コマンドを送信機に送り、送信機が次に送信電力を適宜セットする。開ループと閉ループを組み合わせた方式では、送信電力をセットするのに両方の入力が使用される。
【００２５】
端末と基地局との間に複数のチャネルを、例えばトラフィックおよび制御チャネルを有するシステムでは、異なる電力制御原理が異なるチャネルに適用されてもよい。異なる原理を使用することで、電力制御原理を個々のチャネルの必要性に適応させる自由度が上がる。欠点は、いくつかの原理を維持する複雑さが増すことである。
【００２６】
ＮＲの電力制御
ＴＳ  ３８．２１３（Ｖ１５．０．１）では、ＮＲに対するＵＬ電力制御はセクション７で規定されており、ＵＬ電力制御フレームワークからの「出力」として説明することができる、ＰＰＵＳＣＨ，ｆ、ｃ（ｉ，ｊ，ｑｄ，ｌ）をどのように導き出すかが規定されており、これは、ＰＵＳＣＨ送信を実施するのにＵＥが使用すべきである意図される出力電力である。ＰＵＳＣＨ送信を実施する場合、ＴＳ  ３８．２１３セクション７．１で次のように規定されている。
「ＰＵＳＣＨの場合、ＵＥは最初に、下位条項７．１．１に定義されているようなパラメータを用いて、非ゼロＰＵＳＣＨ送信を用いるアンテナポートの数と送信方式に対して設定されたアンテナポートの数との比によって、下位条項１２に記載されているように、サービングセルｃのキャリアｆのＵＬ  ＢＷＰ  ｂにおける送信電力ＰＰＵＳＣＨ，ｆ、ｃ（ｉ，ｊ，ｑｄ，ｌ）の線形値
0006866504.tif 000008
を基準化する。結果として得られる基準化された電力を次に、非ゼロＰＵＳＣＨ送信に用いられるアンテナポートの間で均等に分割する。」
【００２７】
本明細書に記載するように、本発明者らは、ＮＲに対して規定されたＰＵＳＣＨの現在のＵＬ電力制御方式には、いくつかの問題があることを見出している。これらの問題に対処する解決策を本明細書に開示する。
【発明の概要】
【００２８】
物理アップリンク共有チャネル送信のアンテナポートセットに使用される電力を決定または制御する、システムおよび方法を本明細書に開示する。いくつかの実施形態では、ユーザ機器（ＵＥ）は、物理アップリンク共有チャネル送信のアップリンク電力制御に使用される電力Ｐを導き出し、ＵＥが物理アップリンク共有チャネル送信にコードブックベースの送信または非コードブックベースの送信のどちらを利用しているかに応じて決まる規則にしたがって、電力Ｐに基づいてアンテナポートセットに使用される電力を決定するように設定された、処理回路構成を備える。アンテナポートセットは、物理アップリンク共有チャネル送信が非ゼロ電力で送信されるアンテナポートである。いくつかの実施形態では、ＵＥはインターフェースを更に備え、処理回路構成は、インターフェースを介して、アンテナポートセットを使用して物理アップリンク共有チャネル送信を送信するように更に設定される。
【００２９】
いくつかの実施形態では、非コードブックベースのプリコーディングおよび相反性ベースの送信の場合に、規則は、電力Ｐが、物理アップリンク共有チャネル送信が非ゼロ電力で送信されるアンテナポートセットの間で均等に分割されるような規則である。規則にしたがって電力Ｐに基づいてアンテナポートセットに使用される電力を決定するために、処理回路構成は、物理アップリンク共有チャネル送信が非ゼロ電力で送信されるアンテナポートセットの間で電力Ｐを均等に分割するように更に設定される。更に、いくつかの実施形態では、規則は、非コードブックベースのプリコーディングおよび非コヒーレント送信の場合に、規則にしたがって電力Ｐに基づいてアンテナポートセットに使用される電力を決定するために、処理回路構成が、物理アップリンク共有チャネル送信が非ゼロ電力で送信されるアンテナポートの数とＵＥにおける設定されたアンテナポートの数との比で、電力Ｐを基準化することによって第２の電力Ｐ’を導き出し、第２の電力Ｐ’を、物理アップリンク共有チャネル送信が非ゼロ電力で送信されるアンテナポートセットの間で均等に分割するように、更に設定されるような規則である。
【００３０】
いくつかの実施形態では、規則は、コードブックベースの送信の場合に、規則にしたがって電力Ｐに基づいてアンテナポートセットに使用される電力を決定するために、処理回路構成が、物理アップリンク共有チャネル送信が非ゼロ電力で送信されるアンテナポートの数とＵＥにおけるアンテナポートの数との比で、電力Ｐを基準化することによって第２の電力Ｐ’を導き出し、第２の電力Ｐ’を、物理アップリンク共有チャネル送信が非ゼロ電力で送信されるアンテナポートセットの間で均等に分割するように、更に設定されるような規則である。いくつかの実施形態では、ＵＥにおけるアンテナポートの数は、ＵＥにおけるＳＲＳリソースのサウンディング参照信号（ＳＲＳ）ポートの数である。
【００３１】
いくつかの実施形態では、規則は、規則にしたがって電力Ｐに基づいてアンテナポートセットに使用される電力を決定するために、処理回路構成が、比
0006866504.tif 000009
を導き出すように更に設定されるような規則である。式中、ρは、物理アップリンク共有チャネル送信に使用されるアンテナポートの数、ρ０は、物理アップリンク共有チャネル送信が非ゼロ電力で送信されるアンテナポートの数である。コードブックベースの送信の場合にＵＥが完全コヒーレンス送信能力を有する場合、Ｋ＝１であり、４つのアンテナポートを用いるコードブックベースの送信の場合に、ＵＥが部分コヒーレンス送信能力を有する場合、Ｋ＝２であり、コードブックベースの送信および２つまたは４つのアンテナポートの場合に、ＵＥが非コヒーレンス送信能力を有する場合、それぞれＫ＝２またはＫ＝４である。規則は更に、規則にしたがって電力Ｐに基づいてアンテナポートセットに使用される電力を決定するために、処理回路構成が、電力Ｐを比β＝ｍｉｎ｛１，α｝で基準化することによって第２の電力Ｐ’を導き出し、物理アップリンク共有チャネル送信が非ゼロ電力で送信されるアンテナポートセットの間で第２の電力Ｐ’を均等に分割するように更に設定されるような規則である。いくつかの実施形態では、ＵＥが非コードブックベースの送信を実施する場合、Ｋ＝１である。
【００３２】
いくつかの実施形態では、規則は、規則にしたがって電力Ｐに基づいてアンテナポートセットに使用される電力を決定するために、処理回路構成が、比を用いて電力Ｐを基準化することによって第２の電力Ｐ’を導き出すように更に設定されるような規則である。比は、ＵＥが物理アップリンク共有チャネル送信にコードブックベースの送信または非コードブックベースの送信を利用しているか否か、ならびに完全コヒーレンス、部分コヒーレンス、または非コヒーレンス送信に関するＵＥの能力、非ゼロの物理アップリンク共有チャネルが送信されるアンテナポートセットにおけるアンテナポートの数、物理アップリンク共有チャネル送信に使用されるアンテナポートセットにおけるアンテナポートの数、ならびに／あるいはＵＥでのアンテナポートセットにおけるアンテナポートの数に応じた関数として導き出される。いくつかの実施形態では、比は、所定の値のセットから比を選択することによって導き出される。いくつかの実施形態では、規則にしたがって電力Ｐに基づいてアンテナポートセットに使用される電力を決定するために、処理回路構成は、物理アップリンク共有チャネル送信が非ゼロ電力で送信されるアンテナポートセットの間で第２の電力Ｐ’を均等に分割するように更に設定される。
【００３３】
いくつかの実施形態では、規則は、完全コヒーレンス送信を実施する能力と、部分コヒーレンス送信を実施する能力と、非コヒーレンス送信を実施する能力とから成るＵＥ能力群からの少なくとも２つのＵＥ能力に関して、ならびに／あるいはコードブックベースおよび非コードブックベース両方の送信に関して、第２の電力Ｐ’がランク１送信の電力Ｐに等しくてもよいような規則である。
【００３４】
他のいくつかの実施形態では、ＵＥは、物理アップリンク共有チャネル送信のアップリンク電力制御に使用される電力Ｐを導き出し、規則にしたがって電力Ｐに基づいてアンテナポートセットに使用される電力を決定するように設定された、処理回路構成を備える。規則は、完全コヒーレンス、部分コヒーレンス、または非コヒーレンス送信に関するＵＥの能力に応じて決まり、アンテナポートセットは、物理アップリンク共有チャネル送信が非ゼロ電力で送信されるアンテナポートである。いくつかの実施形態では、ＵＥはインターフェースを更に備え、処理回路構成は、インターフェースを介して、アンテナポートセットを使用して物理アップリンク共有チャネル送信を送信するように更に設定される。
【００３５】
いくつかの実施形態では、規則は、非コードブックベースのプリコーディングおよび相反性ベースの送信の場合に、規則にしたがって電力Ｐに基づいてアンテナポートセットに使用される電力を決定するために、処理回路構成が、物理アップリンク共有チャネル送信が非ゼロ電力で送信されるアンテナポートセットの間で電力Ｐを均等に分割するように更に設定されるような規則である。いくつかの実施形態では、規則は、非コードブックベースのプリコーディングおよび非コヒーレント送信の場合に、規則にしたがって電力Ｐに基づいてアンテナポートセットに使用される電力を決定するために、処理回路構成が、物理アップリンク共有チャネル送信が非ゼロ電力で送信されるアンテナポートの数とＵＥにおける設定されたアンテナポートの数との比で、電力Ｐを基準化することによって第２の電力Ｐ’を導き出し、第２の電力Ｐ’を、物理アップリンク共有チャネル送信が非ゼロ電力で送信されるアンテナポートセットの間で均等に分割するように、更に設定されるような規則である。
【００３６】
いくつかの実施形態では、規則は、コードブックベースの送信の場合に、規則にしたがって電力Ｐに基づいてアンテナポートセットに使用される電力を決定するために、処理回路構成が、物理アップリンク共有チャネル送信が非ゼロ電力で送信されるアンテナポートの数とＵＥにおけるアンテナポートの数との比で、電力Ｐを基準化することによって第２の電力Ｐ’を導き出し、第２の電力Ｐ’を、物理アップリンク共有チャネル送信が非ゼロ電力で送信されるアンテナポートセットの間で均等に分割するように、更に設定されるような規則である。いくつかの実施形態では、ＵＥにおけるアンテナポートの数は、ＵＥにおけるＳＲＳリソースのＳＲＳポートの数である。
【００３７】
いくつかの実施形態では、規則は、規則にしたがって電力Ｐに基づいてアンテナポートセットに使用される電力を決定するために、処理回路構成が、比
0006866504.tif 000010
を導き出すように更に設定されるような規則である。式中、ρは、物理アップリンク共有チャネル送信に使用されるアンテナポートの数、ρ０は、物理アップリンク共有チャネル送信が非ゼロ電力で送信されるアンテナポートの数である。コードブックベースの送信の場合にＵＥが完全コヒーレンス送信能力を有する場合、Ｋ＝１であり、４つのアンテナポートを用いるコードブックベースの送信の場合に、ＵＥが部分コヒーレンス送信能力を有する場合、Ｋ＝２であり、コードブックベースの送信および２つまたは４つのアンテナポートの場合に、ＵＥが非コヒーレンス送信能力を有する場合、それぞれＫ＝２またはＫ＝４である。規則は更に、規則にしたがって電力Ｐに基づいてアンテナポートセットに使用される電力を決定するために、処理回路構成が、電力Ｐを比β＝ｍｉｎ｛１，α｝で基準化することによって第２の電力Ｐ’を導き出し、物理アップリンク共有チャネル送信が非ゼロ電力で送信されるアンテナポートセットの間で第２の電力Ｐ’を均等に分割するように更に設定されるような規則である。いくつかの実施形態では、ＵＥが非コードブックベースの送信を実施する場合、Ｋ＝１である。
【００３８】
いくつかの実施形態では、規則は、規則にしたがって電力Ｐに基づいてアンテナポートセットに使用される電力を決定するために、処理回路構成が、比を用いて電力Ｐを基準化することによって第２の電力Ｐ’を導き出すように更に設定されるような規則である。比は、完全コヒーレンス、部分コヒーレンス、または非コヒーレンス送信に関するＵＥの能力、ＵＥが物理アップリンク共有チャネル送信にコードブックベースの送信または非コードブックベースの送信を利用しているか否か、非ゼロの物理アップリンク共有チャネルが送信されるアンテナポートセットにおけるアンテナポートの数、物理アップリンク共有チャネル送信に使用されるアンテナポートセットにおけるアンテナポートの数、ならびに／あるいはＵＥでのアンテナポートセットにおけるアンテナポートの数に応じた関数として導き出される。いくつかの実施形態では、比は、所定の値のセットから比を選択することによって導き出される。いくつかの実施形態では、規則にしたがって電力Ｐに基づいてアンテナポートセットに使用される電力を決定するために、処理回路構成は、物理アップリンク共有チャネル送信が非ゼロ電力で送信されるアンテナポートセットの間で第２の電力Ｐ’を均等に分割するように更に設定される。
【００３９】
いくつかの実施形態では、規則は、完全コヒーレンス送信を実施する能力と、部分コヒーレンス送信を実施する能力と、非コヒーレンス送信を実施する能力とから成るＵＥ能力群からの少なくとも２つのＵＥ能力に関して、ならびに／あるいはコードブックベースおよび非コードブックベース両方の送信に関して、第２の電力Ｐ’がランク１送信の電力Ｐに等しくてもよいような規則である。
【００４０】
ＵＥにおいて実施される方法の実施形態も開示される。いくつかの実施形態では、ＵＥにおいて実施される方法は、物理アップリンク共有チャネル送信のアップリンク電力制御に使用される電力Ｐを導き出すことと、ＵＥが物理アップリンク共有チャネル送信にコードブックベースの送信または非コードブックベースの送信のどちらを利用しているかに応じて決まる規則にしたがって、電力Ｐに基づいてアンテナポートセットに使用される電力を決定することとを含み、アンテナポートセットは、物理アップリンク共有チャネル送信が非ゼロ電力で送信されるアンテナポートである。いくつかの実施形態では、方法は、アンテナポートセットを使用して物理アップリンク共有チャネル送信を送信することを更に含む。
【００４１】
いくつかの実施形態では、規則は、非コードブックベースのプリコーディングおよび相反性ベースの送信の場合に、規則にしたがって電力Ｐに基づいてアンテナポートセットに使用される電力を決定することが、物理アップリンク共有チャネル送信が非ゼロ電力で送信されるアンテナポートセットの間で電力Ｐを均等に分割することを含むような規則である。
【００４２】
いくつかの実施形態では、規則は、コードブックベースの送信の場合に、規則にしたがって電力Ｐに基づいてアンテナポートセットに使用される電力を決定することが、物理アップリンク共有チャネル送信が非ゼロ電力で送信されるアンテナポートの数とＵＥにおけるアンテナポートの数との比で、電力Ｐを基準化することによって第２の電力Ｐ’を導き出すことと、第２の電力Ｐ’を、物理アップリンク共有チャネル送信が非ゼロ電力で送信されるアンテナポートセットの間で均等に分割することとを含むような規則である。いくつかの実施形態では、ＵＥにおけるアンテナポートの数は、ＵＥにおけるＳＲＳリソースのＳＲＳポートの数である。
【００４３】
いくつかの実施形態では、規則は、規則にしたがって電力Ｐに基づいてアンテナポートセットに使用される電力を決定することが、比
0006866504.tif 000011
を導き出すことを含むような規則である。式中、ρは、物理アップリンク共有チャネル送信に使用されるアンテナポートの数、ρ０は、物理アップリンク共有チャネル送信が非ゼロ電力で送信されるアンテナポートの数である。コードブックベースの送信の場合にＵＥが完全コヒーレンス送信能力を有する場合、Ｋ＝１であり、４つのアンテナポートを用いるコードブックベースの送信の場合に、ＵＥが部分コヒーレンス送信能力を有する場合、Ｋ＝２であり、コードブックベースの送信および２つまたは４つのアンテナポートの場合に、ＵＥが非コヒーレンス送信能力を有する場合、それぞれＫ＝２またはＫ＝４である。規則は更に、規則にしたがって電力Ｐに基づいてアンテナポートセットに使用される電力を決定することが、電力Ｐを比β＝ｍｉｎ｛１，α｝で基準化することによって第２の電力Ｐ’を導き出すことと、物理アップリンク共有チャネル送信が非ゼロ電力で送信されるアンテナポートセットの間で第２の電力Ｐ’を均等に分割することとを更に含むような規則である。いくつかの実施形態では、ＵＥが非コードブックベースの送信を実施する場合、Ｋ＝１である。
【００４４】
いくつかの実施形態では、規則は、規則にしたがって電力Ｐに基づいてアンテナポートセットに使用される電力を決定することが、電力Ｐを比で基準化することによって第２の電力Ｐ’を導き出すことを含むような規則であり、比は、ＵＥが物理アップリンク共有チャネル送信にコードブックベースの送信または非コードブックベースの送信を利用しているか否か、ならびに完全コヒーレンス、部分コヒーレンス、または非コヒーレンス送信に関するＵＥの能力、非ゼロの物理アップリンク共有チャネルが送信されるアンテナポートセットにおけるアンテナポートの数、物理アップリンク共有チャネル送信に使用されるアンテナポートセットにおけるアンテナポートの数、ならびに／あるいはＵＥでのアンテナポートセットにおけるアンテナポートの数に応じた関数として導き出される。いくつかの実施形態では、規則にしたがって電力Ｐに基づいてアンテナポートセットに使用される電力を決定することは、物理アップリンク共有チャネル送信が非ゼロ電力で送信されるアンテナポートセットの間で第２の電力Ｐ’を均等に分割することを更に含む。
【００４５】
いくつかの実施形態では、ＵＥにおいて実施される方法は、物理アップリンク共有チャネル送信のアップリンク電力制御に使用される電力Ｐを導き出すことと、完全コヒーレンス、部分コヒーレンス、または非コヒーレンス送信に関するＵＥの能力に応じて決まる規則にしたがって、電力Ｐに基づいてアンテナポートセットに使用される電力を決定することとを含み、アンテナポートセットは、物理アップリンク共有チャネル送信が非ゼロ電力で送信されるアンテナポートである。いくつかの実施形態では、方法は、アンテナポートセットを使用して物理アップリンク共有チャネル送信を送信することを更に含む。
【００４６】
いくつかの実施形態では、規則は、非コードブックベースのプリコーディングおよび相反性ベースの送信の場合に、規則にしたがって電力Ｐに基づいてアンテナポートセットに使用される電力を決定することが、物理アップリンク共有チャネル送信が非ゼロ電力で送信されるアンテナポートセットの間で電力Ｐを均等に分割することを含むような規則である。
【００４７】
いくつかの実施形態では、規則は、コードブックベースの送信の場合に、規則にしたがって電力Ｐに基づいてアンテナポートセットに使用される電力を決定することが、物理アップリンク共有チャネル送信が非ゼロ電力で送信されるアンテナポートの数とＵＥにおけるアンテナポートの数との比で、電力Ｐを基準化することによって第２の電力Ｐ’を導き出すことと、第２の電力Ｐ’を、物理アップリンク共有チャネル送信が非ゼロ電力で送信されるアンテナポートセットの間で均等に分割することとを含むような規則である。いくつかの実施形態では、ＵＥにおけるアンテナポートの数は、ＵＥにおけるＳＲＳリソースのＳＲＳポートの数である。
【００４８】
いくつかの実施形態では、規則は、規則にしたがって電力Ｐに基づいてアンテナポートセットに使用される電力を決定することが、比
0006866504.tif 000012
を導き出すことを含むような規則である。式中、ρは、物理アップリンク共有チャネル送信に使用されるアンテナポートの数、ρ０は、物理アップリンク共有チャネル送信が非ゼロ電力で送信されるアンテナポートの数である。コードブックベースの送信の場合にＵＥが完全コヒーレンス送信能力を有する場合、Ｋ＝１であり、４つのアンテナポートを用いるコードブックベースの送信の場合に、ＵＥが部分コヒーレンス送信能力を有する場合、Ｋ＝２であり、コードブックベースの送信および２つまたは４つのアンテナポートの場合に、ＵＥが非コヒーレンス送信能力を有する場合、それぞれＫ＝２またはＫ＝４である。規則は更に、規則にしたがって電力Ｐに基づいてアンテナポートセットに使用される電力を決定することが、電力Ｐを比β＝ｍｉｎ｛１，α｝で基準化することによって第２の電力Ｐ’を導き出すことと、物理アップリンク共有チャネル送信が非ゼロ電力で送信されるアンテナポートセットの間で第２の電力Ｐ’を均等に分割することとを更に含むような規則である。いくつかの実施形態では、ＵＥが非コードブックベースの送信を実施する場合、Ｋ＝１である。
【００４９】
いくつかの実施形態では、規則は、規則にしたがって電力Ｐに基づいてアンテナポートセットに使用される電力を決定することが、電力Ｐを比で基準化することによって第２の電力Ｐ’を導き出すことを含むような規則であり、比は、完全コヒーレンス、部分コヒーレンス、または非コヒーレンス送信に関するＵＥの能力、ならびにＵＥが物理アップリンク共有チャネル送信にコードブックベースの送信または非コードブックベースの送信を利用しているか否か、非ゼロの物理アップリンク共有チャネルが送信されるアンテナポートセットにおけるアンテナポートの数、物理アップリンク共有チャネル送信に使用されるアンテナポートセットにおけるアンテナポートの数、ならびに／あるいはＵＥでのアンテナポートセットにおけるアンテナポートの数に応じた関数として導き出される。いくつかの実施形態では、規則にしたがって電力Ｐに基づいてアンテナポートセットに使用される電力を決定することは、物理アップリンク共有チャネル送信が非ゼロ電力で送信されるアンテナポートセットの間で第２の電力Ｐ’を均等に分割することを更に含む。
【００５０】
図面は、開示される主題の選択された実施形態を例示する。図面中、同様の参照符号は同様の機構を指す。
【図面の簡単な説明】
【００５１】
【図１】新無線（ＮＲ）におけるプリコーディングされた空間多重化モードの送信構造を示す図である。
【図２】例示のユーザ機器（ＵＥ）実装形態を示す図である。
【図３】例示のユーザ機器（ＵＥ）実装形態を示す図である。
【図４】例示のユーザ機器（ＵＥ）実装形態を示す図である。
【図５】いくつかの実施形態による無線ネットワークを示す図である。
【図６】いくつかの実施形態によるＵＥを示す図である。
【図７】いくつかの実施形態による仮想化環境を示す図である。
【図８】いくつかの実施形態による、中間ネットワークを介してホストコンピュータに接続される電気通信ネットワークを示す図である。
【図９】いくつかの実施形態による、部分無線接続を通じて基地局を介してＵＥと通信しているホストコンピュータを示す図である。
【図１０】いくつかの実施形態による、ホストコンピュータ、基地局、およびＵＥを含む通信システムにおいて実施される方法を示す図である。
【図１１】いくつかの実施形態による、ホストコンピュータ、基地局、およびＵＥを含む通信システムにおいて実施される方法を示す図である。
【図１２】いくつかの実施形態による、ホストコンピュータ、基地局、およびＵＥを含む通信システムにおいて実施される方法を示す図である。
【図１３】いくつかの実施形態による、ホストコンピュータ、基地局、およびＵＥを含む通信システムにおいて実施される方法を示す図である。
【図１４】いくつかの実施形態による仮想化装置を示す図である。
【図１５】いくつかの実施形態による方法を示す図である。
【図１６】いくつかの実施形態によるＵＥの動作を示すフローチャートである。
【発明を実施するための形態】
【００５２】
以下、本明細書において想到される実施形態のいくつかについて、添付図面を参照して更に十分に記載する。しかしながら、他の実施形態が本明細書に開示する主題の範囲内に含まれ、開示する主題は、本明細書で説明する実施形態のみに限定されるものと解釈されるべきではなく、それよりもむしろ、これらの実施形態は、主題の範囲を当業者に伝えるために例として提供されるものである。追加の情報が、本明細書の付表において提供されるいずれかの文献に見出されることもある。
【００５３】
一般に、本明細書で使用する全ての用語は、異なる意味が明確に与えられない限り、ならびに／あるいは異なる意味がその用語を使用している文脈から示唆されない限り、関連技術分野におけるそれらの本来の意味にしたがって解釈されるべきものである。要素、装置、構成要素、手段、ステップなどに対する全ての参照は、別の形で明示的に定義されない限り、要素、装置、構成要素、手段、ステップなどの少なくとも一例を指すものと広く解釈されるべきである。本明細書に開示するいずれかの方法のステップは、あるステップが別のステップの後または前に行われると明示的に記載されない限り、ならびに／あるいはあるステップが別のステップの後または前に行われなければならないと示唆されない限り、開示する順序で正確に実施されなければならないものではない。本明細書に開示する実施形態のいずれかにおけるあらゆる特徴は、適切であれば、他のいずれかの実施形態に適用されてもよい。同様に、実施形態のいずれかにおけるあらゆる利点は、他のいずれかの実施形態に当てはまることがあり、その逆もまた真である。含まれる実施形態の他の目的、特徴、および利点は説明から明白になるであろう。
【００５４】
特定の概念が、特定の技術分野または規格を参照して、ならびに／あるいはそれらの分野および／または規格に適用可能な言語を使用して、本明細書に記載されることがある。例えば、特定の実施形態が、ロングタームエボリューション（ＬＴＥ）の文脈で理解されるような、セル、サブフレーム／スロット、チャネルなどを参照して、または第３世代パートナーシッププロジェクト（３ＧＰＰ）新無線（ＮＲ）の文脈で理解されるような、ビーム、スロット／ミニスロット、チャネルなどを参照して、記載されることがある。それでもなお、別の形で示されない限り、記載される概念はより全体的に適用可能であってもよく、かかるいずれかの分野、規格、言語などにしたがって限定されるべきではない。
【００５５】
上述したように、３ＧＰＰ  ＮＲにおけるアップリンク（ＵＬ）電力制御は、技術仕様書（ＴＳ）３８．２１３（Ｖ１５．０．１）で規定されている。ＴＳ  ３８．２１３（Ｖ１５．０．１）では、ＮＲのＵＬ電力制御はセクション７で規定されている。ＴＳ  ３８．２１３（Ｖ１５．０．１）のセクション７は、ＵＬ電力制御フレームワークからの「出力」として説明することができる、ＰＰＵＳＣＨ，ｆ、ｃ（ｉ，ｊ，ｑｄ，ｌ）をどのように導き出すかを規定している。これは、ユーザ機器（ＵＥ）が物理アップリンク共有チャネル（ＰＵＳＣＨ）送信を実施するのに使用されるべきである、意図される出力電力である。ＰＵＳＣＨ送信を実施する場合、ＴＳ  ３８．２１３のセクション７．１は次のように規定している。
「ＰＵＳＣＨの場合、ＵＥは最初に、下位条項７．１．１に定義されているようなパラメータを用いて、非ゼロＰＵＳＣＨ送信を用いるアンテナポートの数と送信方式に対して設定されたアンテナポートの数との比によって、下位条項１２に記載されているように、サービングセルｃのキャリアｆのＵＬ  ＢＷＰ  ｂにおける送信電力ＰＰＵＳＣＨ，ｆ、ｃ（ｉ，ｊ，ｑｄ，ｌ）の線形値
0006866504.tif 000013
を基準化する。結果として得られる基準化された電力を次に、非ゼロＰＵＳＣＨ送信に用いられるアンテナポートの間で均等に分割する。」
【００５６】
ＴＳ  ３８．２１３のセクション７．１（Ｖ１５．０．１）で規定されているようなＰＵＳＣＨのＵＬ電力制御は、いくつかの意味がある。上述の電力制御は、ランク１の送信が示される、コードブックベースの動作に関する、図２に示されるＵＥ実装形態＃１に対応している。各送信チェーンは、本明細書ではＰとして示される、合計送信電力
0006866504.tif 000014
の４分の１の能力がある電力増幅器（ＰＡ）のみを要する。この例の各送信チェーンは、サウンディング参照信号（ＳＲＳ）を伝達するもの、つまり「プリコーディングされない」ＳＲＳが使用されるものと仮定されることが注目される。結果的に、ＮＲ基地局（ｇＮＢ）は、全てのＵＥ送信チェーンから受信する合計電力を、ＳＲＳにおける電力の合計として推定することができる。
【００５７】
これらの例は、コードブックベースのプリコーディングを使用する実装形態＃１に関して下記に例示する。４つのアンテナポートおよびランク１の送信が考慮される。これらの例に関して、次のことが注目される。
第１の例「ＣＢ、非コヒーレント」は、非コヒーレント、部分コヒーレント、および完全コヒーレントに関して３つ全ての異なるＵＥ能力を有する、ＵＥが使用することができるコード語に相当する。
第２の例「ＣＢ、部分コヒーレント」は、部分コヒーレントおよび完全コヒーレント能力を有するＵＥが使用することができる。
第３の例「ＣＢ、完全コヒーレント」は、完全コヒーレント能力を有するＵＥのみが使用することができる。
0006866504.tif 000015
【００５８】
上述の例から、アンテナ選択、即ち「ＣＢ、非コヒーレント」の場合、Ｐ／４のみが送信されることが注目される。この理由は、「非ゼロＰＵＳＣＨ送信を用いるアンテナポートの数と、送信方式に対して設定されたアンテナポートの数との比によって」電力Ｐを基準化すべきであると、仕様書が述べていることである。そのため、電力を送信しないアンテナポートは合計電力を低減させることになる。したがって、このプリコーダを使用することによって発生する合計電力は、送信プリコーダ行列インジケータ（ＴＰＭＩ）＝１２によって与えられるコード語が使用された場合よりも低くなる。この性質は、上述したようなＵＥ実装形態を可能にするので望ましい。
【００５９】
次のような従来の技法および技術と関連付けられる欠点を認識した上で、特定の実施形態が本明細書に提示される。送信を実施するときにＰＰＵＳＣＨ，ｆ、ｃ（ｉ，ｊ，ｑｄ，ｌ）をどのように使用するかに関する現在の仕様書は、一般的なＵＥレイアウト、および完全コヒーレンス能力を有するＵＥのコードブックベースの送信については良好に働く。しかしながら、その設計は、非コードブックベースの送信、および他の能力を有するＵＥに対しては同じように有効ではない。
【００６０】
次に多数の問題について記載する。第１の問題（問題１）は、非コードブックベースの送信に関する。非コードブックベースの送信を示す、図３（実装形態＃２）および図４（実装形態＃３）に示される２つの実装形態について考慮する。
【００６１】
アンテナ選択に相当する実装形態＃２の場合、第１のＳＲＳリソースは次式を用いてプリコーディングされると仮定される。
0006866504.tif 000016
これは、ＳＲＳリソースインジケータ（ＳＲＩ）＝１がｇＮＢからＵＥに信号伝送されるものとすると、ＰＵＳＣＨが下記の表のように送信されることを示唆する。非ゼロ電力（ＮＺＰ）ＰＵＳＣＨ送信を用いるアンテナポートの数は１であり、非コードブックベースの送信に対して４つのアンテナポートが設定されるので、電力制御は合計出力電力をＰ／４にセットする。ＵＥは各送信チェーンで必要な最大電力を送信することが望ましいので、これは実装形態＃２にとって有益ではない。
0006866504.tif 000017
【００６２】
実装形態＃３は、ｇＮＢ透過の相反性ベースのプリコーディングに相当し、そのため、ｇＮＢではなくＵＥがプリコーダを決定する。したがって、プリコーディングウェイトは、実装形態＃１で使用したｗｉの代わりにｖｉとして表される。各ｖｉは、ＵＥが選択する任意の適切な値を得ることができ、ｗｉの可能な値はｖｉの可能な値のサブセットである。１つの可能性は、第１のＳＲＳリソースが次式を用いてプリコーディングされることである。
0006866504.tif 000018
これは、ＳＲＩ＝１がｇＮＢからＵＥに信号伝達されるものとすると、ＰＵＳＣＨが下記のように送信されることを示唆する。送信を行うアンテナの数は４つであるが、非ゼロＰＵＳＣＨ送信を用いるアンテナポートの数は、上述の例のように１のままである。更に、４つのアンテナポートが非コードブックベースの送信に対して設定されるので、電力制御は、単一の送信アンテナポートにおける出力電力をＰ／４にセットし、つまり合計出力電力はやはりＰ／４である。したがって、全てのアンテナが送信に使用されるが、全てのアンテナポートが使用されるわけではないので、ＵＥは電力のバックオフを行う。これは、非コードブックプリコーディングの性能を低下させるので、望ましくない挙動である。
0006866504.tif 000019
【００６３】
第２の問題（問題２）は、非コヒーレントおよび部分コヒーレンス能力を有するＵＥに関する。完全コヒーレンス能力を有するＵＥが考慮される場合、このＵＥは、現在の仕様を所与として、コードブックベースの送信に対して下記のように送信してもよい。
0006866504.tif 000020
【００６４】
ここで、ＵＥのランクが上がると、レイヤごとの電力が下がることが注目される。これは、ＵＥが、より低いランクを選んで信号雑音比（ＳＮＲ）を増加させるか、あるいはＳＮＲが大きいときにランクを上昇させることができるようになるので、意図される挙動である。
【００６５】
非コヒーレント能力を有するＵＥの場合、ＵＥは代わりに次のように送信してもよい。
0006866504.tif 000021
【００６６】
したがって、挙動は望ましい挙動の逆であり、レイヤごとの電力は一定なので、ランクを下げてもＳＮＲは増加しない。これによって、ＵＥがより低いランクを使用することは魅力的でなくなる。更に、ＵＥは、ＵＬ電力制御フレームワークによって定義されるように、合計電力Ｐで送信することが可能であるが、ＵＥは完全ランクを使用する場合のみそれを行う。これは、Ｐがその最大可能値Ｐ＿ｃｍａｘに達したときに、ＵＥがＰ＿ｃｍａｘ／４で送信することを示唆するので、重大な制限である。Ｐ＿ｃｍａｘに達したＵＥは、一般的に低ＳＮＲに相当するＵＥであり、またかかるＵＥの場合、できるだけ高電力での低ランク送信が、一般的に適切な戦略である。
【００６７】
上述の問題に対処する実施形態を本明細書に記載する。開示する主題の特定の実施形態では、ＰＵＳＣＨ送信に対する電力（Ｐ）を制御する新しい方策が提供される。特定の実施形態は、例えば、（ｉ）非コードブックベースまたはコードブックベースの送信に関する情報、（ｉｉ）コヒーレント送信に対するＵＥの能力に関する情報、および／または（ｉｉｉ）設定されたアンテナポートの数の代わりに、ＰＵＳＣＨ送信に使用されるアンテナポートの数に対する依存に基づいて、送信されるべきＰの比を定義することを伴う。
【００６８】
開示する主題の特定の実施形態は、以下の例など、従来の技法および技術と比較して潜在的な利益を提供してもよい。特定の実施形態は、コードブックベースのプリコーディングならびに非コードブックベースのプリコーディングの両方に対して効率的な送信を提供する。いくつかのかかる実施形態は、（ａ）ＵＥが、非コードブックベースの相反性で送信して、ランク１の全電力を利用すること、または（ｂ）非コヒーレントおよび部分コヒーレント能力を有するＵＥが、ランク１の全電力で送信を行うことを可能にし、また、ＵＥがレイヤごとの電力が低い代わりにランクを増加させることを可能にする。
【００６９】
以下の説明は、ＰＵＳＣＨ送信に対するいくつかの実施形態を提示する。合計電力に関する特定の異なる実施形態の挙動は、表１に示されている。
【００７０】
実施形態１：使用されるアンテナポートの間で電力を均等に分割する
一実施形態では、使用されるべき電力の比は、設定されたポートの数の代わりに、ＰＵＳＣＨにおけるポートの数｛ｐ０，…，ｐρ−１｝（即ち、ＰＵＳＣＨ送信に使用されるアンテナポートの数）に関して規定される。仕様書の文章に関して、これは、３ＧＰＰ  ＴＳ  ３８．２１３、セクション７．１のバージョン１５．０．１に基づいて、次のように書かれている。
ＰＵＳＣＨの場合、ＵＥは最初に、下位条項７．１．１に定義されているようなパラメータを用いて、非ゼロＰＵＳＣＨ送信を用いるアンテナポートの数とρ（ρは、３８．２１１  ６．３．１．５によるアンテナポートの数｛ｐ０，…，ｐρ−１｝）との比によって、下位条項１２に記載されているように、サービングセルｃのキャリアｆのＵＬ  ＢＷＰ  ｂにおける送信電力ＰＰＵＳＣＨ，ｆ、ｃ（ｉ，ｊ，ｑｄ，ｌ）の線形値
0006866504.tif 000022
を基準化する。結果として得られる基準化された電力を次に、非ゼロＰＵＳＣＨ送信に用いられるアンテナポートの間で均等に分割する。
【００７１】
いくつかの実施形態では、コードブックベースの動作モードが使用されているとき、ρはコードブックのプリコーダをＰＵＳＣＨ送信に適用することができる多数のアンテナポートに相当し、非コードブックベースの動作モードが使用されているとき、ρはＰＵＳＣＨの送信に用いられる多数のアンテナポートおよび空間レイヤに相当する。したがって、非コードブック送信の場合、ランク１の送信の場合に異なるアンテナポートで分割されるべきである比１が得られる（３ＧＰＰ  ＴＳ  ３８．２１３  Ｖ１５．０．１の現在の文章にあるような１／４の代わり）。
【００７２】
実施形態２：送信の方策に応じて異なる電力分割戦略を適用する
いくつかの実施形態では、最大電力Ｐ／Ｎ（実装形態＃１および＃３と同様）のＰＡを有するＮ個の送信チェーンを含むＵＥの実装形態に対応するのが望ましいことがある。１つのかかる実施形態では、Ｐは次のように決定される。
コードブックベースのプリコーディングの場合、仕様書３８．２１３  Ｖ１５．０．１、セクション７．１にあるように行う。
非コードブックベースのプリコーディングおよび非コヒーレント動作の場合、３８．２１３  Ｖ１５．０．１、セクション７．１にあるように行う。
非コヒーレント動作は、ＵＥが相反性を使用してプリコーダを計算しない場合の非コードブックベースの動作に関して特徴付けられてもよい。より詳細には、非コードブックベースの送信を使用するＵＥは、ＰＵＳＣＨおよびＳＲＳの送信に使用されるプリコーダを計算するのに、ＮＺＰチャネル状態情報参照信号（ＣＳＩ−ＲＳ）リソースを測定しない。かかる設定は、ＵＥが、「ＮｏｎＣｏｄｅｂｏｏｋ」に対してセットされた上位レイヤのパラメータｕｌＴｘＣｏｎｆｉｇを用いて設定されるが、ＳＲＳ−ＡｓｓｏｃＣＳＩＲＳを用いて設定されない場合として特定されてもよい。
非コードブックベースのプリコーディングおよび相反性ベースの送信の場合、アンテナポート｛ｐ０，…，ｐρ−１｝の間で電力Ｐを等しく分割する。
コヒーレント動作は、ＵＥが上記定義にしたがって相反性を使用してプリコーダを計算する場合の非コードブックベースの動作に関して特徴付けられてもよい。かかる設定は、ＵＥが、「ＮｏｎＣｏｄｅｂｏｏｋ」に対してセットされた上位レイヤのパラメータｕｌＴｘＣｏｎｆｉｇを用いて設定され、ＳＲＳ−ＡｓｓｏｃＣＳＩＲＳを用いて設定される場合として特定されてもよい。
【００７３】
したがって、これが、「ＮＣＢ、相反性ベース」の場合の問題に対処する。この実施形態の潜在的な利益は、コヒーレント動作を用いる非コードブックベースの動作の合計送信電力が、現在の仕様書と比較して増加するので、非コードブックベースの動作の合計電力が、所与の数の送信チェーンに関するコードブックベースの動作の場合、コヒーレント動作における送信チェーンごとの最大送信電力と同じであることを含むことができる。
【００７４】
実施形態３
一実施形態では、ρは、ＴＳ  ３８．２１１  ６．３．１．５にしたがって、アンテナポート｛ｐ０，…，ｐρ−１｝の数として定義される。更に、ρ０は、｛ｐ０，…，ｐρ−１｝における非ゼロアンテナポートの数とする。Ｋは次のように定義される。
コードブックベースのプリコーディングの場合、完全コヒーレンス能力を有するＵＥでは、Ｋ＝１。
４アンテナポートを有するコードブックベースのプリコーディングの場合、部分コヒーレンス能力を有するＵＥでは、Ｋ＝２。
コードブックベースのプリコーディングおよび２または４アンテナポートの場合、非コヒーレンス能力を有するＵＥでは、それぞれＫ＝２またはＫ＝４。
非コードブックベースのプリコーディングの場合、Ｋ＝１。
【００７５】
このことから、比
0006866504.tif 000023
が定義され、換算係数（β）はβ＝ｍｉｎ｛１，α｝として導き出される。ＰＵＳＣＨ電力制御は、ＴＳ  ３８．２１３  Ｖ１５．０．１、セクション７．１の現在の文言に対する変更に関して、後述するように定義される。
ＰＵＳＣＨの場合、ＵＥは最初に、下位条項７．１．１に定義されているようなパラメータを用いて、βによって、下位条項１２に記載されているように、サービングセルｃのキャリアｆのＵＬ  ＢＷＰ  ｂにおける送信電力ＰＰＵＳＣＨ，ｆ、ｃ（ｉ，ｊ，ｑｄ，ｌ）の線形値
0006866504.tif 000024
を基準化し、結果として得られる基準化された電力を次に、非ゼロＰＵＳＣＨ送信に用いられるアンテナポートの間で均等に分割する。
【００７６】
２つまたは４つの設定されたポートを想定したβのいくつかの例を次に示す。
0006866504.tif 000025
【００７７】
いくつかの実施形態では、ＵＥが単一のアンテナポートでＰＵＳＣＨを送信するように設定された場合、Ｋ＝１であり、他の実施形態では、ＵＥが単一のアンテナポートでＰＵＳＣＨを送信するように設定された場合、β＝１である。
【００７８】
いくつかの実施形態では、ＵＥは、そのコヒーレンス能力が対応している、ＵＬ多入力多出力（ＭＩＭＯ）コードブックのサブセットを使用するように設定される。かかる実施形態では、ＵＥは、完全コヒーレント、部分コヒーレント、および非コヒーレント送信チェーンを用いてＵＥが対応することができるコードブックのサブセットをＵＥが使用することを示す、「ｆｕｌｌＡｎｄＰａｒｔｉａｌＡｎｄＮｏｎＣｏｈｅｒｅｎｔ」、「ｐａｒｔｉａｌＡｎｄＮｏｎＣｏｈｅｒｅｎｔ」、および「ｎｏｎＣｏｈｅｒｅｎｔ」の値を有することができる、上位レイヤパラメータＵＬＣｏｄｅｂｏｏｋＳｕｂｓｅｔを用いて設定することができる。かかる実施形態では、コードブックサブセットパラメータを使用することによって、ＵＥがその電力制御を調節してコヒーレンス能力に合致させることが可能になる。この挙動は次のように説明することができる。
ＰＵＳＣＨの場合、ＵＥは最初に、下位条項７．１．１に定義されているようなパラメータを用いて、βによって、下位条項１２に記載されているように、サービングセルｃのキャリアｆのＵＬ  ＢＷＰ  ｂにおける送信電力ＰＰＵＳＣＨ，ｆ、ｃ（ｉ，ｊ，ｑｄ，ｌ）の線形値
0006866504.tif 000026
を基準化し、結果として得られる基準化された電力を次に、非ゼロＰＵＳＣＨ送信に用いられるアンテナポートの間で均等に分割する。β＝１は、単一アンテナポート送信の場合であり、マルチアンテナポート送信の場合、
β＝ｍｉｎ｛１，α｝であって、
0006866504.tif 000027
であり、式中、
ρは、ＴＳ  ３８．２１１  ６．３．１．５にしたがって、アンテナポート｛ｐ０，…，ｐρ−１｝の数として定義され、
ρ０は、ＴＳ  ３８．２１１  ６．３．１．５にしたがって、｛ｐ０，…，ｐρ−１｝における非ゼロアンテナポートの数である。
非コードブックベースの送信の場合、Ｋ＝１である。コードブックベースの送信の場合、Ｋは次の表から与えられ、ＵＬＣｏｄｅｂｏｏｋＳｕｂｓｅｔは上位レイヤのパラメータである。
0006866504.tif 000028
【００７９】
注：設定されたポートの数は、ＵＥが送信することができる空間レイヤの最大数に相当することができる。コードブックベースのプリコーディングの場合、これは、ＳＲＳリソースにおけるＳＲＳポートの数を指すことができ、非コードブックベースのプリコーディングの場合、これは、非コードブックベースの動作でＵＥに対して設定されたＳＲＳポートの合計数を指すことができ、またはコードブックベースの動作で使用することが意図されるＳＲＳリソースセットのＳＲＳポートの合計数を指すことができる。
【００８０】
ＣＢおよびＮＣＢはそれぞれ、コードブックベースおよび非コードブックベースのＵＥの能力を指す。完全、部分、および非コヒーレントのＵＥの能力はそれぞれ、「ｆｕｌｌＡｎｄＰａｒｔｉａｌＡｎｄＮｏｎＣｏｈｅｒｅｎｔ」、「ｐａｒｔｉａｌＣｏｈｅｒｅｎｔ」、および「ｎｏｎＣｏｈｅｒｅｎｔ」として、３ＧＰＰ  ＴＳ  ３８．３３１  Ｖ１５．０．１の専門用語集にしたがって特定されてもよい。
【００８１】
ＰＵＳＣＨで送信されるべきＰの比としてβを使用することによって、表のほとんどの場合において、全電力が送信されることが注目される。より少ない電力使用に相当する事例は、ｇＮＢが、ＵＥの能力よりも「低い能力」に相当する構造のコード語を選んでいる、コードブックベースの送信の場合のみであり、ＵＥは、この意味において、その分岐の一部を切断し、それによって消費電力を低減する機会を有する。
【００８２】
次の表は、上述した特定の実施形態の特性を示している。
0006866504.tif 000029
【００８３】
図５は、いくつかの実施形態による無線ネットワークを示している。本明細書に記載する主題は、任意の適切な構成要素を使用する任意の適切なタイプのシステムで実装されてもよいが、本明細書に開示する実施形態は、図５に示される例示の無線ネットワークなどの無線ネットワークに関連して記載する。単純にするため、図５の無線ネットワークは、ネットワーク５０６、ネットワークノード５６０および５６０ｂ、ならびに無線デバイス（ＷＤ）５１０、５１０ｂ、および５１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノード５６０およびＷＤ  ５１０が更に詳細に図示されている。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【００８４】
無線ネットワークは、任意のタイプの通信、電気通信、データ、移動体、および／または無線ネットワーク、もしくは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように設定されてもよい。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および／または他の適切な第２、第３、第４、もしくは第５世代（２Ｇ、３Ｇ、４Ｇ、もしくは５Ｇ）規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実装してもよい。
【００８５】
ネットワーク５０６は、１つもしくは複数のバックホールネットワーク、コアネットワーク、インターネットプロトコル（ＩＰ）ネットワーク、公衆交換電話網（ＰＳＴＮ）、パケットデータネットワーク、光ネットワーク、広域ネットワーク（ＷＡＮ）、ローカルエリアネットワーク（ＬＡＮ）、ＷＬＡＮ、有線ネットワーク、無線ネットワーク、メトロポリタンエリアネットワーク、およびデバイス間で通信できるようにする他のネットワークを含んでもよい。
【００８６】
ネットワークノード５６０およびＷＤ  ５１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線もしくは無線接続のどちらかを介するデータおよび／または信号の通信を容易にするかもしくはそれに関与することができる、他の任意の構成要素またはシステムを含んでもよい。
【００８７】
本明細書で使用するとき、ネットワークノードは、無線デバイスと、ならびに／あるいは無線デバイスへの無線アクセスを可能にする、および／または無線アクセスを提供する、および／または無線ネットワークにおける他の機能（例えば、管理）を実施する、無線ネットワーク内の他のネットワークノードもしくは機器と、直接もしくは間接的に通信することができる、通信するように設定された、通信するように配置された、ならびに／あるいは通信するように動作可能である、機器を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびｇＮＢ）が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタルユニット、および／またはリモート無線ヘッド（ＲＲＨ）と呼ばれることがあるリモート無線ユニット（ＲＲＵ）など、分散無線基地局の１つまたは複数（もしくは全て）の部分を含んでもよい。かかるＲＲＵは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、ＭＳＣ、ＭＭＥ）、操作および保守（Ｏ＆Ｍ）ノード、操作サポートシステム（ＯＳＳ）ノード、自己最適化ネットワーク（ＳＯＮ）ノード、ポジショニングノード（例えば、進化型サービングモバイルロケーションセンタ（Ｅ−ＳＭＬＣ））、ならびに／あるいはドライブテストの最小化（ＭＤＴ）が挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線ネットワークにアクセスしている無線デバイスに何らかのサービスを提供できるようにすること、および／または無線ネットワークにアクセスしている無線デバイスに何らかのサービスを提供することが、可能である、そのように設定されている、そのように配置されている、ならびに／あるいはそれを可能にするように動作可能である、任意の適切なデバイス（またはデバイス群）を表してもよい。
【００８８】
図５では、ネットワークノード５６０は、処理回路構成５７０と、デバイス可読媒体５８０と、インターフェース５９０と、補助機器５８４と、電源５８６と、電源回路構成５８７と、アンテナ５６２とを含む。図５の例示の無線ネットワークに示されるネットワークノード５６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、機構、機能、および方法を実施するのに必要な、ハードウェアおよび／またはソフトウェアの任意の適切な組み合わせを含むことが理解されるべきである。更に、ネットワークノード５６０の構成要素は、より大きいボックス内に位置するかまたは複数のボックス内に入れ子状になった、単独のボックスとして示されているが、実際上、ネットワークノードは、単一の図示される構成要素を設定する複数の異なる物理的構成要素を含んでもよい（例えば、デバイス可読媒体５８０は、複数の別個のハードドライブならびに複数のランダムアクセスメモリ〈ＲＡＭ〉モジュールを備えてもよい）。
【００８９】
同様に、ネットワークノード５６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノード５６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノード５６０は、複数の無線アクセス技術（ＲＡＴ）に対応するように設定されてもよい。かかる実施形態では、いくつかの構成要素が重複してもよく（例えば、異なるＲＡＴに対して別個のデバイス可読媒体５８０）、いくつかの構成要素は再使用されてもよい（例えば、同じアンテナ５６２がＲＡＴによって共有されてもよい）。ネットワークノード５６０はまた、例えば、ＧＳＭ、広帯域符号分割多重アクセス（ＷＣＤＭＡ）、ＬＴＥ、ＮＲ、ＷｉＦｉ、またはブルートゥース無線技術など、ネットワークノード５６０に統合された異なる無線技術に関する複数組の様々な図示される構成要素を含んでもよい。これらの無線技術は、同じまたは異なるチップもしくはチップセット、およびネットワークノード５６０内の他の構成要素に統合されてもよい。
【００９０】
処理回路構成５７０は、ネットワークノードによって提供されるものとして本明細書に記載される、任意の決定、計算、または類似の動作（例えば、特定の取得動作）を実施するように設定される。処理回路構成５７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成５７０によって取得される情報を処理すること、ならびに前記処理の結果として決定を行うことを含んでもよい。
【００９１】
処理回路構成５７０は、マイクロプロセッサ、コントローラ、マイクロコントローラ、中央処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）、または他の任意の適切なコンピューティングデバイス、リソース、あるいは単独で、または他のネットワークノード５６０の構成要素（デバイス可読媒体５８０、ネットワークノード５６０の機能性など）と併せて提供するように動作可能な、ハードウェア、ソフトウェア、および／または符号化論理の組み合わせのうち、１つもしくは複数のものの組み合わせを備えてもよい。例えば、処理回路構成５７０は、デバイス可読媒体５８０に、または処理回路構成５７０内のメモリに格納された命令を実行してもよい。かかる機能性は、本明細書で考察する様々な無線の機構、機能、または利益のいずれかを提供することを含んでもよい。かかる実施形態では、処理回路構成５７０はシステムオンチップ（ＳＯＣ）を含んでもよい。
【００９２】
いくつかの実施形態では、処理回路構成５７０は、無線周波数（ＲＦ）送受信機回路構成５７２およびベースバンド処理回路構成５７４の１つまたは複数を含んでもよい。いくつかの実施形態では、ＲＦ送受信機回路構成５７２およびベースバンド処理回路構成５７４は、別個のチップ（もしくはチップセット）、ボード、または無線ユニットおよびデジタルユニットなどのユニット上にあってもよい。代替実施形態では、ＲＦ送受信機回路構成５７２およびベースバンド処理回路構成５７４の一部または全ては、同じチップもしくはチップセット、ボード、またはユニットの上にあってもよい。
【００９３】
特定の実施形態では、ネットワークノード、基地局、ｅＮＢ、または他のかかるネットワークデバイスによって提供されるものとして本明細書に記載する機能性の一部または全ては、デバイス可読媒体５８０または処理回路構成５７０内のメモリに格納された命令を実行する、処理回路構成５７０によって実施されてもよい。代替実施形態では、機能性の一部または全ては、ハードワイヤード方式などで、別個のまたは離散的なデバイス可読媒体に格納された命令を実行することなく、処理回路構成５７０によって提供されてもよい。それらの実施形態のいずれかにおいて、デバイス可読記憶媒体に格納された命令を実行するか否かにかかわらず、処理回路構成５７０は、記載される機能性を実施するように設定することができる。かかる機能性によって提供される利益は、処理回路構成５７０のみに、またはネットワークノード５６０の他の構成要素に限定されず、ネットワークノード５６０全体ならびに／あるいはエンドユーザおよび無線ネットワーク全般によって享受される。
【００９４】
デバイス可読媒体５８０は、非限定的に、永続記憶装置、固体メモリ、リモート実装メモリ、磁気媒体、光学媒体、ＲＡＭ、読出し専用メモリ（ＲＯＭ）、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、および／または他の任意の揮発性もしくは不揮発性非一時的デバイス可読および／またはコンピュータ実行可能メモリデバイスを含む、処理回路構成５７０によって使用されてもよい情報、データ、および／または命令を格納する、任意の形態の揮発性または不揮発性コンピュータ可読メモリを含んでもよい。デバイス可読媒体５８０は、論理、規則、コード、テーブルなどの１つもしくは複数を含むコンピュータプログラム、ソフトウェア、アプリケーションを含む、任意の適切な命令、データまたは情報、および／あるいは処理回路構成５７０によって実行され、ネットワークノード５６０によって利用され得る他の命令を格納してもよい。デバイス可読媒体５８０は、処理回路構成５７０によって行われる任意の計算、および／またはインターフェース５９０を介して受信される任意のデータを格納するのに使用されてもよい。いくつかの実施形態では、処理回路構成５７０およびデバイス可読記憶媒体５８０は、統合されたものと見なされてもよい。
【００９５】
インターフェース５９０は、ネットワークノード５６０、ネットワーク５０６、および／またはＷＤ  ５１０の間における、シグナリングならびに／あるいはデータの有線または無線通信で使用される。図示されるように、インターフェース５９０は、例えば、有線接続を通じてネットワーク５０６との間でデータを送受信する、ポート／端子５９４を備える。インターフェース５９０はまた、アンテナ５６２に、または特定の実施形態ではその一部に連結されてもよい、無線フロントエンド回路構成５９２を含む。無線フロントエンド回路構成５９２はフィルタ５９８および増幅器５９６を備える。無線フロントエンド回路構成５９２はアンテナ５６２および処理回路構成５７０に接続されてもよい。無線フロントエンド回路構成は、アンテナ５６２と処理回路構成５７０との間で通信される信号を調整するように設定されてもよい。無線フロントエンド回路構成５９２は、無線接続を介して他のネットワークノードまたはＷＤに対して送出されるべきである、デジタルデータを受信してもよい。無線フロントエンド回路構成５９２は、フィルタ５９８および／または増幅器５９６の組み合わせを使用して、デジタルデータを、適切なチャネルおよび帯域幅パラメータを有する無線信号へと変換してもよい。無線信号は次に、アンテナ５６２を介して送信されてもよい。同様に、データを受信するとき、アンテナ５６２は無線信号を収集してもよく、それらは次に、無線フロントエンド回路構成５９２によってデジタルデータへと変換される。デジタルデータは処理回路構成５７０に渡されてもよい。他の実施形態では、インターフェースは、異なる構成要素および／または構成要素の異なる組み合わせを備えてもよい。
【００９６】
特定の代替実施形態では、ネットワークノード５６０は別個の無線フロントエンド回路構成５９２を含まなくてもよく、代わりに、処理回路構成５７０は、無線フロントエンド回路構成を備えてもよく、別個の無線フロントエンド回路構成５９２なしでアンテナ５６２に接続されてもよい。同様に、いくつかの実施形態では、ＲＦ送受信機回路構成５７２の全てまたは一部はインターフェース５９０の一部と見なされてもよい。更に他の実施形態では、インターフェース５９０は、無線ユニット（図示なし）の一部として、１つもしくは複数のポートまたは端子５９４、無線フロントエンド回路構成５９２、およびＲＦ送受信機回路構成５７２を含んでもよく、インターフェース５９０は、デジタルユニット（図示なし）の一部である、ベースバンド処理回路構成５７４と通信してもよい。
【００９７】
アンテナ５６２は、無線信号を送出および／または受信するように設定された、１つもしくは複数のアンテナまたはアンテナアレイを含んでもよい。アンテナ５６２は、無線フロントエンド回路構成５９０に連結されてもよく、データおよび／または信号を無線で送受信することができる、任意のタイプのアンテナであってもよい。いくつかの実施形態では、アンテナ５６２は、例えば、２ギガヘルツ（ＧＨｚ）〜６６ＧＨｚの無線信号を送受信するように動作可能な、１つまたは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用はＭＩＭＯと呼ばれることがある。特定の実施形態では、アンテナ５６２は、ネットワークノード５６０とは別個であってもよく、インターフェースまたはポートを通してネットワークノード５６０に接続可能であってもよい。
【００９８】
アンテナ５６２、インターフェース５９０、および／または処理回路構成５７０は、ネットワークノードによって実施されるものとして、本明細書に記載するあらゆる受信動作および／または特定の取得動作を実施するように設定されてもよい。あらゆる情報、データ、および／または信号は、無線デバイス、別のネットワークノード、および／または他の任意のネットワーク機器から受信されてもよい。同様に、アンテナ５６２、インターフェース５９０、および／または処理回路構成５７０は、ネットワークノードによって実施されるものとして、本明細書に記載するあらゆる送信動作を実施するように設定されてもよい。あらゆる情報、データ、および／または信号は、無線デバイス、別のネットワークノード、および／または他の任意のネットワーク機器に送信されてもよい。
【００９９】
電力回路構成５８７は、電力管理回路構成を含むかまたはそれに連結されてもよく、ネットワークノード５６０の構成要素に、本明細書に記載する機能性を実施する電力を供給するように設定される。電力回路構成５８７は電源５８６から電力を受信してもよい。電源５８６および／または電力回路構成５８７は、それぞれの構成要素に適した形態で（例えば、それぞれの構成要素に必要な電圧および電流レベルで）、ネットワークノード５６０の様々な構成要素に電力を提供するように設定されてもよい。電源５８６は、回路構成５８７および／またはネットワークノード５６０に含まれるか、あるいはその外部にあってもよい。例えば、ネットワークノード５６０は、入力回路構成、または電気ケーブルなどのインターフェースを介して、外部電源（例えば、電気コンセント）に接続可能であってもよく、外部電源は電力を電力回路構成５８７に供給する。更なる例として、電源５８６は、電力回路構成５８７に接続されるかまたは統合される、電池もしくは電池パックの形態の電源を含んでもよい。電池は、外部電源が故障した場合のバックアップ電力を提供してもよい。光起電デバイスなど、他のタイプの電源も使用されてもよい。
【０１００】
ネットワークノード５６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図５に示されるものを超える追加の構成要素を含んでもよい。例えば、ネットワークノード５６０は、情報をネットワークノード５６０に入力するのを可能にし、情報をネットワークノード５６０から出力するのを可能にする、ユーザインターフェース機器を含んでもよい。これは、ネットワークノード５６０に対する診断、保守、修理、および他の管理機能をユーザが実施するのを可能にしてもよい。
【０１０１】
本明細書で使用するとき、ＷＤは、ネットワークノードおよび／または他の無線デバイスと無線で通信することができる、そのように設定されている、そのように配置されている、ならびに／あるいはそのように動作可能であるデバイスを指す。別段の記述がない限り、ＷＤという用語は、本明細書ではＵＥと交換可能に使用されてもよい。無線通信には、電磁波、電波、赤外線波、および／または空気を通して情報を伝達するのに適した他のタイプの信号を使用して、無線信号を送信および／または受信することが関与してもよい。いくつかの実施形態では、ＷＤは、直接的な人間の相互作用なしに情報を送信および／または受信するように設定されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、モバイル電話、携帯電話、ボイスオーバーＩＰ（ＶｏＩＰ）電話、無線ローカルループ電話、デスクトップコンピュータ、個人情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマー構内設備（ＣＰＥ）、車載型無線端末デバイスなどが挙げられるが、それらに限定されない。ＷＤは、例えば、サイドリンク通信の３ＧＰＰ規格を実装することによるデバイス間（Ｄ２Ｄ）通信、車車間（Ｖ２Ｖ）、路車間（Ｖ２Ｉ）、ビークルトゥエブリシング（Ｖ２Ｘ）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではマシンタイプ通信（ＭＴＣ）デバイスと呼ばれることがある、マシンツーマシン（Ｍ２Ｍ）デバイスであってもよい。１つの特定の例として、ＷＤは、３ＧＰＰ狭帯域ＩｏＴ（ＮＢ−ＩｏＴ）規格を実装するＵＥであってもよい。かかるマシンまたはデバイスの特定の例は、センサ、電力計などの計量デバイス、工業用機械類、家庭用または個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両用または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【０１０２】
図示されるように、無線デバイス５１０は、アンテナ５１１、インターフェース５１４、処理回路構成５２０、デバイス可読媒体５３０、ユーザインターフェース機器５３２、補助機器５３４、電源５３６、および電力回路構成５３７を含む。ＷＤ  ５１０は、例えば、例を挙げると、ＧＳＭ、ＷＣＤＭＡ、ＬＴＥ、ＮＲ、ＷｉＦｉ、ＷｉＭＡＸ、またはブルートゥース無線技術など、ＷＤ  ５１０が対応する異なる無線技術に対して、図示される構成要素のうち１つまたは複数のものの複数組を含んでもよい。これらの無線技術は、ＷＤ  ５１０内の他の構成要素と同じもしくは異なるチップまたはチップセットに統合されてもよい。
【０１０３】
アンテナ５１１は、無線信号を送出および／または受信するように設定された、１つもしくは複数のアンテナまたはアンテナアレイを含んでもよく、インターフェース５１４に接続される。特定の代替実施形態では、アンテナ５１１は、ＷＤ  ５１０とは別個であってもよく、インターフェースまたはポートを通してＷＤ  ５１０に接続可能であってもよい。アンテナ５１１、インターフェース５１４、および／または処理回路構成５２０は、ＷＤによって実施されるものとして本明細書に記載される、あらゆる受信または送信動作を実施するように設定されてもよい。あらゆる情報、データ、および／または信号は、ネットワークノードおよび／または別のＷＤから受信されてもよい。いくつかの実施形態では、無線フロントエンド回路構成および／またはアンテナ５１１は、インターフェースと見なされてもよい。
【０１０４】
図示されるように、インターフェース５１４は無線フロントエンド回路構成５１２およびアンテナ５１１を備える。無線フロントエンド回路構成５１２は、１つまたは複数のフィルタ５１８および増幅器５１６を備える。無線フロントエンド回路構成５１４は、アンテナ５１１および処理回路構成５２０に接続され、アンテナ５１１と処理回路構成５２０との間で通信される信号を調整するように設定される。無線フロントエンド回路構成５１２は、アンテナ５１１に連結されるか、またはその一部であってもよい。いくつかの実施形態では、ＷＤ  ５１０は、別個の無線フロントエンド回路構成５１２を含まなくてもよく、それよりもむしろ、処理回路構成５２０は、無線フロントエンド回路構成を備えてもよく、アンテナ５１１に接続されてもよい。同様に、いくつかの実施形態では、ＲＦ送受信機回路構成５２２の全てまたは一部はインターフェース５１４の一部と見なされてもよい。無線フロントエンド回路構成５１２は、無線接続を介して他のネットワークノードまたはＷＤに対して送出されるべきである、デジタルデータを受信してもよい。無線フロントエンド回路構成５１２は、フィルタ５１８および／または増幅器５１６の組み合わせを使用して、デジタルデータを、適切なチャネルおよび帯域幅パラメータを有する無線信号へと変換してもよい。無線信号は次に、アンテナ５１１を介して送信されてもよい。同様に、データを受信するとき、アンテナ５１１は無線信号を収集してもよく、それらは次に、無線フロントエンド回路構成５１２によってデジタルデータへと変換される。デジタルデータは処理回路構成５２０に渡されてもよい。他の実施形態では、インターフェースは、異なる構成要素および／または構成要素の異なる組み合わせを備えてもよい。
【０１０５】
処理回路構成５２０は、マイクロプロセッサ、コントローラ、マイクロコントローラ、ＣＰＵ、ＤＳＰ、ＡＳＩＣ、ＦＰＧＡ、または他の任意の適切なコンピューティングデバイス、リソース、あるいは単独で、または他のＷＤ  ５１０の構成要素（デバイス可読媒体５３０、ＷＤ  ５１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の機構または利益のいずれかを提供することを含んでもよい。例えば、処理回路構成５２０は、デバイス可読媒体５３０に、または処理回路構成５２０内のメモリに格納された命令を実行して、本明細書に開示する機能性を提供してもよい。
【０１０６】
図示されるように、処理回路構成５２０は、ＲＦ送受信機回路構成５２２、ベースバンド処理回路構成５２４、およびアプリケーション処理回路構成５２６の１つまたは複数を含む。他の実施形態では、処理回路構成は、異なる構成要素および／または構成要素の異なる組み合わせを備えてもよい。特定の実施形態では、ＷＤ  ５１０の処理回路構成５２０はＳＯＣを備えてもよい。いくつかの実施形態では、ＲＦ送受信機回路構成５２２、ベースバンド処理回路構成５２４、およびアプリケーション処理回路構成５２６は、別個のチップまたはチップセット上にあってもよい。代替実施形態では、ベースバンド処理回路構成５２４およびアプリケーション処理回路構成５２６の一部または全ては、１つのチップまたはチップセットに組み入れられてもよく、ＲＦ送受信機回路構成５２２は別個のチップまたはチップセット上にあってもよい。更なる代替実施形態では、ＲＦ送受信機回路構成５２２およびベースバンド処理回路構成５２４の一部または全てが、同じチップまたはチップセット上にあってもよく、アプリケーション処理回路構成５２６が別個のチップまたはチップセット上にあってもよい。更なる他の代替実施形態では、ＲＦ送受信機回路構成５２２、ベースバンド処理回路構成５２４、およびアプリケーション処理回路構成５２６の一部または全てが、同じチップまたはチップセットに組み入れられてもよい。いくつかの実施形態では、ＲＦ送受信機回路構成５２２はインターフェース５１４の一部であってもよい。ＲＦ送受信機回路構成５２２は、処理回路構成５２０に対するＲＦ信号を調整してもよい。
【０１０７】
特定の実施形態では、ＷＤによって実施されるものとして本明細書に記載される機能性の一部または全ては、特定の実施形態ではコンピュータ可読記憶媒体であってもよい、デバイス可読媒体に格納された命令を処理回路構成５２０が実行することによって提供されてもよい。代替実施形態では、機能性の一部または全ては、ハードワイヤード方式などで、別個のまたは離散的なデバイス可読記憶媒体に格納された命令を実行することなく、処理回路構成５２０によって提供されてもよい。これら特定の実施形態のいずれかにおいて、デバイス可読記憶媒体に格納された命令を実行するか否かにかかわらず、処理回路構成５２０は、記載される機能性を実施するように設定することができる。かかる機能性によって提供される利益は、処理回路構成５２０のみに、またはＷＤ  ５１０の他の構成要素に限定されず、ＷＤ  ５１０全体ならびに／あるいはエンドユーザおよび無線ネットワーク全般によって享受される。
【０１０８】
処理回路構成５２０は、ＷＤによって実施されるものとして本明細書に記載される、任意の決定、計算、または類似の動作（例えば、特定の取得動作）を実施するように設定されてもよい。処理回路構成５２０によって実施されるようなこれらの動作は、例えば、取得された情報を他の情報に変換すること、取得された情報または変換された情報をＷＤ  ５１０によって格納された情報と比較すること、ならびに／あるいは取得された情報または変換された情報に基づいて１つもしくは複数の動作を実施することによって、処理回路構成５２０によって取得される情報を処理すること、ならびに前記処理の結果として決定を行うことを含んでもよい。
【０１０９】
デバイス可読媒体５３０は、１つもしくは複数の論理、規則、符号、テーブルなどを含む、コンピュータプログラム、ソフトウェア、アプリケーション、ならびに／あるいは処理回路構成５２０によって実行することができる他の命令を格納するように動作可能であってもよい。デバイス可読媒体５３０の例としては、コンピュータメモリ（例えば、ＲＡＭもしくはＲＯＭ）、大容量記憶媒体（例えば、ハードディスク）、リムーバブル記憶媒体（例えば、ＣＤもしくはＤＶＤ）、ならびに／あるいは、処理回路構成５２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成５２０およびデバイス可読媒体５３０は、統合されたものと見なされてもよい。
【０１１０】
ユーザインターフェース機器５３２は、人間のユーザがＷＤ  ５１０と相互作用することを可能にする構成要素を提供してもよい。かかる相互作用は、視覚、聴覚、触覚など、多くの形態のものであってもよい。ユーザインターフェース機器５３２は、ユーザに対する出力を生成し、ユーザがＷＤ  ５１０への入力を提供できるように動作可能であってもよい。相互作用のタイプは、ＷＤ  ５１０にインストールされるユーザインターフェース機器５３２のタイプに応じて変わってもよい。例えば、ＷＤ  ５１０がスマートフォンの場合、相互作用はタッチスクリーンを介してもよく、ＷＤ  ５１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器５３２は、入力インターフェース、デバイス、および回路、ならびに出力インターフェース、デバイス、および回路を含んでもよい。ユーザインターフェース機器５３２は、ＷＤ  ５１０への情報の入力を可能にするように設定され、処理回路構成５２０に接続されて、処理回路構成５２０が入力情報を処理するのを可能にする。ユーザインターフェース機器５３２は、例えば、マイクロフォン、近接センサもしくは他のセンサ、キー／ボタン、タッチディスプレイ、１つもしくは複数のカメラ、ユニバーサルシリアルバス（ＵＳＢ）ポート、または他の入力回路構成を含んでもよい。ユーザインターフェース機器５３２はまた、ＷＤ  ５１０からの情報の出力を可能にし、処理回路構成５２０が情報をＷＤ  ５１０から出力するのを可能にするように設定される。ユーザインターフェース機器５３２は、例えば、スピーカー、ディスプレイ、振動回路構成、ＵＳＢポート、ヘッドフォンインターフェース、または他の出力回路構成を含んでもよい。ユーザインターフェース機器５３２の１つまたは複数の入力および出力インターフェース、デバイス、ならびに回路を使用して、ＷＤ  ５１０は、エンドユーザおよび／または無線ネットワークと通信し、それらが本明細書に記載する機能性から利益を得ることを可能にしてもよい。
【０１１１】
補助機器５３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器５３４を含むこと、またその構成要素のタイプは、実施形態および／またはシナリオに応じて異なってもよい。
【０１１２】
電源５３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  ５１０は、本明細書に記載または示唆される任意の機能性を実施するのに電源５３６からの電力を必要とするＷＤ  ５１０の様々な部分に、電源５３６から電力を送達する、電力回路構成５３７を更に備えてもよい。電力回路構成５３７は、特定の実施形態では、電力管理回路構成を含んでもよい。電力回路構成５３７は、それに加えてまたはその代わりに、外部電源から電力を受信するように動作可能であってもよく、その場合、ＷＤ  ５１０は、入力回路構成、または電力ケーブルなどのインターフェースを介して、外部電源（電気コンセントなど）に接続可能であってもよい。電力回路構成５３７はまた、特定の実施形態では、外部電源から電源５３６に電力を送達するように動作可能であってもよい。これは、例えば、電源５３６を充電するものであってもよい。電力回路構成５３７は、電源５３６からの電力に対して任意のフォーマット化、変換、または他の修正を実施して、電力が供給されるＷＤ  ５１０のそれぞれの構成要素に適した電力にしてもよい。
【０１１３】
図６は、本明細書に記載する様々な態様による、ＵＥの一実施形態を示している。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  ６００は、ＮＢ−ＩｏＴ  ＵＥ、ＭＴＣ  ＵＥ、および／または拡張型ＭＴＣ（ｅＭＴＣ）ＵＥを含む、３ＧＰＰによって特定される任意のＵＥであってもよい。図６に示されるようなＵＥ  ６００は、３ＧＰＰのＧＳＭ、ＵＭＴＳ、ＬＴＥ、および／または５Ｇ規格など、３ＧＰＰによって普及される１つまたは複数の通信規格にしたがった通信向けに設定されたＷＤの一例である。上述したように、ＷＤおよびＵＥという用語は交換可能に使用されてもよい。したがって、図６はＵＥであるが、本明細書で考察する構成要素はＷＤに等しく適用可能であり、その逆もまた真である。
【０１１４】
図６では、ＵＥ  ６００は、入出力インターフェース６０５、ＲＦインターフェース６０９、ネットワーク接続インターフェース６１１、メモリ６１５（ＲＡＭ  ６１７、ＲＯＭ  ６１９、および記憶媒体６２１などを含む）通信サブシステム６３１、電源６３３、および／または他の任意の構成要素、あるいはそれらの任意の組み合わせに動作可能に連結された、処理回路構成６０１を含む。記憶媒体６２１は、オペレーティングシステム６２３、アプリケーションプログラム６２５、およびデータ６２７を含む。他の実施形態では、記憶媒体６２１は他の類似のタイプの情報を含んでもよい。特定のＵＥは、図６に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【０１１５】
図６では、処理回路構成６０１は、コンピュータ命令およびデータを処理するように設定されてもよい。処理回路構成６０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはＤＳＰなどの汎用プロセッサ、または上記のものの任意の組み合わせなど、機械可読コンピュータプログラムとしてメモリに格納された機械命令を実行するように動作可能な、任意の連続状態機械を実装するように設定されてもよい。例えば、処理回路構成６０１は２つのＣＰＵを含んでもよい。データは、コンピュータが使用するのに適した形態の情報であってもよい。
【０１１６】
図示される実施形態では、入出力インターフェース６０５は、入力デバイス、出力デバイス、または入出力デバイスに対する通信インターフェースを提供するように設定されてもよい。ＵＥ  ６００は、入出力インターフェース６０５を介して出力デバイスを使用するように設定されてもよい。出力デバイスは、入力デバイスと同じタイプのインターフェースポートを使用してもよい。例えば、ＵＥ  ６００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  ６００は、入出力インターフェース６０５を介して入力デバイスを使用して、ユーザがＵＥ  ６００への情報を捕捉することを可能にするように設定されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【０１１７】
図６では、ＲＦインターフェース６０９は、通信インターフェースを、送信機、受信機、およびアンテナなどのＲＦ構成要素に提供するように設定されてもよい。ネットワーク接続インターフェース６１１は、通信インターフェースをネットワーク６４３ａに提供するように設定されてもよい。ネットワーク６４３ａは、ＬＡＮ、ＷＡＮ、コンピュータネットワーク、無線ネットワーク、電気通信ネットワーク、他の類似のネットワーク、またはそれらの任意の組み合わせなど、有線および／または無線ネットワークを包含してもよい。例えば、ネットワーク６４３ａはＷｉＦｉネットワークを含んでもよい。ネットワーク接続インターフェース６１１は、イーサネット、伝送制御プロトコル（ＴＣＰ）／ＩＰ、同期光通信ネットワーク（ＳＯＮＥＴ）、非同期転送モード（ＡＴＭ）など、１つまたは複数の通信プロトコルにしたがって、通信ネットワークを通じて１つもしくは複数の他のデバイスと通信するのに使用される、受信機および送信機インターフェースを含むように設定されてもよい。ネットワーク接続インターフェース６１１は、通信ネットワークリンク（例えば、光学、電気など）に適切な受信機および送信機の機能性を実装してもよい。送信機および受信機機能は、回路構成要素、ソフトウェア、もしくはファームウェアを共有してもよく、あるいは別個に実装されてもよい。
【０１１８】
ＲＡＭ  ６１７は、バス６０２を介して処理回路構成６０１にインターフェース接続して、オペレーティングシステム、アプリケーションプログラム、およびデバイスドライバなどのソフトウェアプログラムを実行する間、データまたはコンピュータ命令を格納もしくはキャッシングするように設定されてもよい。ＲＯＭ  ６１９は、コンピュータ命令またはデータを処理回路構成６０１に提供するように設定されてもよい。例えば、ＲＯＭ  ６１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように設定されてもよい。記憶媒体６２１は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光学ディスク、フロッピーディスク、ハードディスク、取外し可能カートリッジ、またはフラッシュドライブなどのメモリを含むように設定されてもよい。一例では、記憶媒体６２１は、オペレーティングシステム６２３、ウェブブラウザアプリケーションなどのアプリケーションプログラム６２５、ウィジェットもしくはガジェットエンジンまたは別のアプリケーション、およびデータファイル６２７を含むように設定されてもよい。記憶媒体６２１は、ＵＥ  ６００が使用するため、多種多様の様々なオペレーティングシステムまたはオペレーティングシステムの組み合わせのいずれかを格納してもよい。
【０１１９】
記憶媒体６２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータ記録（ＨＤＤＳ）光学ディスクドライブ、外部ミニデュアルインラインメモリモジュール（ＤＩＭＭ）、同期式動的ＲＡＭ（ＳＤＲＡＭ）、外部マイクロＤＩＭＭ  ＳＤＲＡＭ、スマートカードメモリ（加入者識別モジュール（ＳＩＭ）もしくはリムーバブルユーザ識別（ＲＵＩＭ）モジュールなど）、他のメモリ、またはそれらの任意の組み合わせなど、多数の物理的ドライブユニットを含むように設定されてもよい。記憶媒体６２１によって、ＵＥ  ６００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体６２１の形で有形的に具体化されてもよい。
【０１２０】
図６では、処理回路構成６０１は、通信サブシステム６３１を使用してネットワーク６４３ｂと通信するように設定されてもよい。ネットワーク６４３ａおよびネットワーク６４３ｂは、同じネットワークまたは異なるネットワークであってもよい。通信サブシステム６３１は、ネットワーク６４３ｂと通信するのに使用される１つまたは複数の送受信機を含むように設定されてもよい。例えば、通信サブシステム６３１は、ＩＥＥＥ  ８０２．２、符号分割多重アクセス（ＣＤＭＡ）、ＷＣＤＭＡ、ＧＳＭ、ＬＴＥ、ユニバーサル地上ＲＡＮ（ＵＴＲＡＮ）、ＷｉＭａｘなどの１つまたは複数の通信プロトコルにしたがって、別のＷＤ、ＵＥ、または無線アクセスネットワーク（ＲＡＮ）の基地局など、無線通信することができる別のデバイスの１つまたは複数のリモート送受信機と通信するのに使用される、１つまたは複数の送受信機を含むように設定されてもよい。各送受信機は、ＲＡＮリンクに適した送信機または受信機の機能性（例えば、周波数割当てなど）をそれぞれ実装する、送信機６３３および／または受信機６３５を含んでもよい。更に、各送受信機の送信機６３３および受信機６３５は、回路構成要素、ソフトウェア、もしくはファームウェアを共有してもよく、あるいは別個に実装されてもよい。
【０１２１】
図示される実施形態では、通信サブシステム６３１の通信機能は、データ通信、音声通信、マルチメディア通信、ブルートゥースなどの近距離通信、近距離通信、位置を決定するのに全地球測位システム（ＧＰＳ）を使用するものなどの位置依存型通信、別の類似の通信機能、またはそれらの任意の組み合わせを含んでもよい。例えば、通信サブシステム６３１は、セルラー通信、ＷｉＦｉ通信、ブルートゥース通信、およびＧＰＳ通信を含んでもよい。ネットワーク６４３ｂは、ＬＡＮ、ＷＡＮ、コンピュータネットワーク、無線ネットワーク、電気通信ネットワーク、別の類似のネットワーク、またはそれらの任意の組み合わせなど、有線および／または無線ネットワークを包含してもよい。例えば、ネットワーク６４３ｂは、セルラーネットワーク、ＷｉＦｉネットワーク、および／または近距離ネットワークであってもよい。電源６１３は、交流（ＡＣ）または直流（ＤＣ）電力をＵＥ  ６００の構成要素に提供するように設定されてもよい。
【０１２２】
本明細書に記載する特徴、利益、および／または機能は、ＵＥ  ６００の構成要素の１つで実装されてもよく、またはＵＥ  ６００の複数の構成要素にわたって分割されてもよい。更に、本明細書に記載する特徴、利益、および／または機能は、ハードウェア、ソフトウェア、またはファームウェアの任意の組み合わせで実装されてもよい。一例では、通信サブシステム６３１は、本明細書に記載する構成要素のいずれかを含むように設定されてもよい。更に、処理回路構成６０１は、バス６０２を通じてかかる構成要素のいずれかと通信するように設定されてもよい。別の例では、かかる構成要素のいずれかは、処理回路構成６０１によって実行されると、本明細書に記載される対応する機能を実施する、メモリに格納されたプログラム命令によって表されてもよい。別の例では、かかる構成要素のいずれかの機能性は、処理回路構成６０１と通信サブシステム６３１との間で分割されてもよい。別の例では、かかる構成要素のいずれかの非コンピュータ集約的機能は、ソフトウェアまたはファームウェアの形で実装されてもよく、コンピュータ集約的機能はハードウェアの形で実装されてもよい。
【０１２３】
図７は、いくつかの実施形態によって実装される機能が仮想化されてもよい、仮想化環境７００を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、コンポーネント、機能、仮想機械、またはコンテナを介して）１つまたは複数の仮想構成要素として実装される実装形態に関する。
【０１２４】
いくつかの実施形態では、本明細書に記載する機能の一部または全ては、１つまたは複数のハードウェアノード７３０がホストする１つまたは複数の仮想環境７００において実装される、１つまたは複数の仮想機械によって実行される仮想構成要素として実装されてもよい。更に、仮想ノードが無線アクセスノードではなく、無線接続性（例えば、コアネットワークノード）を要しない実施形態では、ネットワークノードは全体的に仮想化されてもよい。
【０１２５】
機能は、本明細書に開示する実施形態のうちいくつかの特徴、機能、および／または利益の一部を実装するように動作する、１つまたは複数のアプリケーション７２０（あるいは、ソフトウェアインスタンス、仮想アプライアンス、ネットワーク機能、仮想ノード、仮想ネットワーク機能などと呼ばれることがある）によって実装されてもよい。アプリケーション７２０は、処理回路構成７６０およびメモリ７９０を備えるハードウェア７３０を提供する仮想化環境７００で稼動する。メモリ７９０は、処理回路構成７６０によって実行可能な命令７９５を含み、それによってアプリケーション７２０は、本明細書に開示する特徴、利益、および／または機能の１つもしくは複数を提供するように動作する。
【０１２６】
仮想化環境７００は、商用オフザシェルフ（ＣＯＴＳ）プロセッサ、専用ＡＳＩＣ、あるいはデジタルもしくはアナログハードウェア構成要素または専用プロセッサを含む他の任意のタイプの処理回路構成であってもよい、１つもしくは複数のプロセッサまたは処理回路構成７６０のセットを備える、汎用または専用ネットワークハードウェアデバイス７３０を備える。各ハードウェアデバイスは、処理回路構成７６０によって実行される命令７９５またはソフトウェアを一時的に格納する非永続的メモリであってもよい、メモリ７９０−１を備えてもよい。各ハードウェアデバイスは、物理ネットワークインターフェース７８０を含む、ネットワークインターフェースカードとしても知られる、１つまたは複数のネットワークインターフェースコントローラ（ＮＩＣ）７７０を備えてもよい。各ハードウェアデバイスはまた、処理回路構成７６０によって実行可能なソフトウェア７９５および／または命令が格納された、非一時的な永続的機械可読記憶媒体７９０−２を含んでもよい。ソフトウェア７９５は、１つまたは複数の仮想化レイヤ７５０（ハイパーバイザーとも呼ばれる）の実例となるソフトウェア、仮想機械７４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【０１２７】
仮想機械７４０は、仮想処理、仮想メモリ、仮想ネットワーキングまたはインターフェース、および仮想記憶装置を含み、対応する仮想化レイヤ７５０またはハイパーバイザーによって稼動してもよい。仮想アプライアンス７２０のインスタンスの異なる実施形態は、仮想機械７４０の１つまたは複数で実装されてもよく、実装は異なる形で行われてもよい。
【０１２８】
動作中、処理回路構成７６０は、場合によっては仮想機械モニタ（ＶＭＭ）と呼ばれることがある、ハイパーバイザーまたは仮想化レイヤ７５０の実例となるソフトウェア７９５を実行する。仮想化レイヤ７５０は、仮想機械７４０に対するネットワーキングハードウェアのように見える、仮想オペレーティングプラットフォームを表してもよい。
【０１２９】
図７に示されるように、ハードウェア７３０は、一般または特定構成要素を備えた独立型ネットワークノードであってもよい。ハードウェア７３０は、アンテナ７２２５を備えてもよく、仮想化によって一部の機能を実装してもよい。あるいは、ハードウェア７３０は、多くのハードウェアノードが共に働き、中でも特にアプリケーション７２０のライフサイクル管理を監督する、管理およびオーケストレーション（ＭＡＮＯ）７１００を介して管理される、ハードウェアの（例えば、データセンタもしくはＣＰＥにおける）より大きいクラスタの一部であってもよい。
【０１３０】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、およびデータセンタに位置することができる物理的記憶装置、およびＣＰＥ上へと統合するのに使用されてもよい。
【０１３１】
ＮＦＶの文脈では、仮想機械７４０は、物理的な非仮想化機械で実行しているかのようにプログラムを走らせる、物理的機械のソフトウェア実装形態であってもよい。各仮想機械７４０、およびその仮想機械を実行するハードウェア７３０の部分は、その仮想機械専用のハードウェアであり、ならびに／あるいはその仮想機械と他の仮想機械７４０とで共有されるハードウェアは、別個の仮想ネットワーク要素（ＶＮＥ）を形成する。
【０１３２】
やはりＮＦＶの文脈では、仮想ネットワーク機能（ＶＮＦ）は、ハードウェアネットワーキングインフラストラクチャ７３０の最上位にある１つまたは複数の仮想機械７４０で稼動する特定のネットワーク機能の取り扱いに関与し、図７のアプリケーション７２０に相当する。
【０１３３】
いくつかの実施形態では、１つまたは複数の送信機７２２０および１つまたは複数の受信機７２１０をそれぞれ含む、１つまたは複数の無線ユニット７２００は、１つまたは複数のアンテナ７２２５に結合されてもよい。無線ユニット７２００は、１つまたは複数の適切なネットワークインターフェースを介してハードウェアノード７３０と直接通信してもよく、仮想ノードに無線アクセスノードまたは基地局などの無線能力を提供する、仮想構成要素との組み合わせで使用されてもよい。
【０１３４】
いくつかの実施形態では、一部のシグナリングは、ハードウェアノード７３０と無線ユニット７２００との間の通信に代わりに使用されてもよい、制御システム７２３０を使用することによって実施することができる。
【０１３５】
図８は、いくつかの実施形態による、中間ネットワークを介してホストコンピュータに接続される電気通信ネットワークを示している。
【０１３６】
図８を参照すると、一実施形態によれば、通信システムは、無線アクセスネットワークなどのアクセスネットワーク８１１とコアネットワーク８１４とを含む、３ＧＰＰタイプのセルラーネットワークなどの電気通信ネットワーク８１０を含む。アクセスネットワーク８１１は、対応するカバレッジエリア８１３ａ、８１３ｂ、８１３ｃをそれぞれ規定する、ノードＢ、ｅＮＢ、ｇＮＢ、または他のタイプの無線アクセスポイントなど、複数の基地局８１２ａ、８１２ｂ、８１２ｃを備える。各基地局８１２ａ、８１２ｂ、８１２ｃは、有線または無線接続８１５を通じてコアネットワーク８１４に接続可能である。カバレッジエリア８１３ｃに位置する第１のＵＥ  ８９１は、対応する基地局８１２ｃに無線接続するように、またはそれによってページングするように設定される。カバレッジエリア８１３ａのＵＥ  ８９２は、対応する基地局８１２ａに無線接続可能である。この例では複数のＵＥ  ８９１、８９２が示されているが、開示される実施形態は、単一のＵＥがカバレッジエリアにあるか、または単一のＵＥが対応する基地局８１２に接続している状況に等しく適用可能である。
【０１３７】
電気通信ネットワーク８１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータ８３０に接続される。ホストコンピュータ８３０は、サービスプロバイダの所有もしくは制御下にあってもよく、またはサービスプロバイダによって、もしくはサービスプロバイダに代わって操作されてもよい。電気通信ネットワーク８１０とホストコンピュータ８３０との間の接続８２１および８２２は、コアネットワーク８１４からホストコンピュータ８３０まで直接延在してもよく、または任意の中間ネットワーク８２０を介して通ってもよい。中間ネットワーク８２０は、公衆、私設、もしくはホストされたネットワークの１つ、または１つを超えるものの組み合わせであってもよく、中間ネットワーク８２０がある場合、バックボーンネットワークまたはインターネットであってもよく、特に、中間ネットワーク８２０は、２つ以上のサブネットワーク（図示なし）を含んでもよい。
【０１３８】
図８の通信システム全体は、接続されたＵＥ  ８９１、８９２とホストコンピュータ８３０との間の接続性を可能にする。接続性は、オーバーザトップ（ＯＴＴ）接続８５０として説明されてもよい。ホストコンピュータ８３０および接続されたＵＥ  ８９１、８９２は、アクセスネットワーク８１１、コアネットワーク８１４、任意の中間ネットワーク８２０、および場合によっては仲介物としての更なるインフラストラクチャ（図示なし）を使用して、ＯＴＴ接続８５０を介してデータおよび／またはシグナリングを通信するように設定される。ＯＴＴ接続８５０は、ＯＴＴ接続８５０が通っている関与する通信デバイスが、アップリンクおよびダウンリンク通信の経路指定を意識していないという意味で透明であり得る。例えば、基地局８１２は、ホストコンピュータ８３０からのデータが接続されたＵＥ  ８９１に転送される（例えば、ハンドオーバーされる）、入ってくるダウンリンク通信の過去の経路指定に関して通知されなくてもよいか、または通知される必要がない。同様に、基地局８１２は、ＵＥ  ８９１からホストコンピュータ８３０に向かう、出て行くＵＬ通信の今後の経路指定を意識する必要はない。
【０１３９】
図９は、いくつかの実施形態による、部分無線接続を通じて基地局を介してユーザ機器と通信しているホストコンピュータを示している。
【０１４０】
次に、一実施形態によるＵＥ、基地局、および上述のパラグラフで考察したホストコンピュータの例示の実装形態について、図９を参照して記載する。通信システム９００では、ホストコンピュータ９１０は、通信システム９００の異なる通信デバイスのインターフェースとの有線または無線接続をセットアップし維持するように設定された、通信インターフェース９１６を含むハードウェア９１５を備える。ホストコンピュータ９１０は、記憶および／または処理能力を有してもよい、処理回路構成９１８を更に備える。特に、処理回路構成９１８は、１つもしくは複数のプラグラマブルプロセッサ、ＡＳＩＣ、ＦＰＧＡ、または命令を実行するように適合されたこれらの組み合わせ（図示なし）を含んでもよい。ホストコンピュータ９１０は、ホストコンピュータ９１０に格納されるかそれによってアクセス可能であり、処理回路構成９１８によって実行可能である、ソフトウェア９１１を更に備える。ソフトウェア９１１はホストアプリケーション９１２を含む。ホストアプリケーション９１２は、ＵＥ  ９３０およびホストコンピュータ９１０で終端するＯＴＴ接続９５０を介して接続するＵＥ  ９３０などのリモートユーザに、サービスを提供するように動作可能であってもよい。サービスをリモートユーザに提供する際、ホストアプリケーション９１２は、ＯＴＴ接続９５０を使用して送信されるユーザデータを提供してもよい。
【０１４１】
通信システム９００は、電気通信システムに提供され、ホストコンピュータ９１０およびＵＥ  ９３０と通信できるようにするハードウェア９２５を備える、基地局９２０を更に含む。ハードウェア９２５は、通信システム９００の異なる通信デバイスのインターフェースとの有線または無線接続をセットアップし維持する通信インターフェース９２６、ならびに基地局９２０がサーブするカバレッジエリア（図９には図示なし）に位置するＵＥ  ９３０との少なくとも無線接続９７０をセットアップし維持する無線インターフェース９２７を含んでもよい。通信インターフェース９２６は、ホストコンピュータ９１０への接続９６０を容易にするように設定されてもよい。接続９６０は、直接であってもよく、または電気通信システムのコアネットワーク（図９には図示なし）、および／または電気通信システム外の１つもしくは複数の中間ネットワークを通過してもよい。図示される実施形態では、基地局９２０のハードウェア９２５は、１つもしくは複数のプログラマブルプロセッサ、ＡＳＩＣ、ＦＰＧＡ、または命令を実行するように適合されたこれらの組み合わせ（図示なし）を含んでもよい、処理回路構成９２８を更に含む。基地局９２０は、内部に格納されるか、または外部接続を介してアクセス可能な、ソフトウェア９２１を更に有する。
【０１４２】
通信システム９００は、既に言及したＵＥ  ９３０を更に含む。そのハードウェア９３５は、ＵＥ  ９３０が現在位置しているカバレッジエリアにサーブする基地局との無線接続９７０をセットアップし維持するように設定された、無線インターフェース９３７を含んでもよい。ＵＥ  ９３０のハードウェア９３５は、１つもしくは複数のプログラマブルプロセッサ、ＡＳＩＣ、ＦＰＧＡ、または命令を実行するように適合されたこれらの組み合わせ（図示なし）を含んでもよい、処理回路構成９３８を更に含む。ＵＥ  ９３０は、ＵＥ  ９３０に格納されるかそれによってアクセス可能であり、処理回路構成９３８によって実行可能である、ソフトウェア９３１を更に備える。ソフトウェア９３１はクライアントアプリケーション９３２を含む。クライアントアプリケーション９３２は、ホストコンピュータ９１０が対応しているＵＥ  ９３０を介して人間または人間以外のユーザにサービスを提供するように動作可能であってもよい。ホストコンピュータ９１０では、実行中のホストアプリケーション９１２は、ＵＥ  ９３０およびホストコンピュータ９１０で終端するＯＴＴ接続９５０を介して、実行中のクライアントアプリケーション９３２と通信してもよい。サービスをユーザに提供する際、クライアントアプリケーション９３２は、要求データをホストアプリケーション９１２から受信し、要求データに応答してユーザデータを提供してもよい。ＯＴＴ接続９５０は、要求データおよびユーザデータの両方を転送してもよい。クライアントアプリケーション９３２は、ユーザと相互作用して、提供するユーザデータを生成してもよい。
【０１４３】
図９に示されるホストコンピュータ９１０、基地局９２０、およびＵＥ  ９３０はそれぞれ、図８のホストコンピュータ８３０、基地局８１２ａ、８１２ｂ、８１２ｃの１つ、およびＵＥ  ８９１、８９２の１つと同様または同一であってもよいことが注目される。つまり、これらのエンティティの内部仕事は図９に示されるようなものであってもよく、また独立して、周囲のネットワークトポロジーは図８のものであってもよい。
【０１４４】
図９では、ＯＴＴ接続９５０は、仲介デバイスおよびそれらのデバイスを介したメッセージの正確な経路指定に明示的に言及することなく、基地局９２０を介したホストコンピュータ９１０とＵＥ  ９３０との間の通信を示すため、抽象的に描かれている。ネットワークインフラストラクチャは、ＵＥ  ９３０から、またはホストコンピュータ９１０を動作させるサービスプロバイダから、または両方から隠れるように設定されてもよい、経路指定を決定してもよい。ＯＴＴ接続９５０がアクティブである間、ネットワークインフラストラクチャは更に、（例えば、ネットワークのロードバランシングの考慮または再設定に基づいて）経路指定を動的に変更する決定を行ってもよい。
【０１４５】
ＵＥ  ９３０と基地局９２０との間の無線接続９７０は、本開示を通して記載される実施形態の教示にしたがっている。様々な実施形態の１つまたは複数は、無線接続９７０が最後のセグメントを形成するＯＴＴ接続９５０を使用してＵＥ  ９３０に提供される、ＯＴＴサービスの性能を改善する。例えば、特定の実施形態は、コードブックベースのプリコーディングならびに非コードブックベースのプリコーディングの両方に対して効率的な送信を提供し得る。いくつかのかかる実施形態は、（ａ）ＵＥが、非コードブックベースの相反性で送信して、ランク１の全電力を利用すること、または（ｂ）非コヒーレントおよび部分コヒーレント能力を有するＵＥが、ランク１の全電力で送信を行うことを可能にし、また、ＵＥがレイヤごとの電力が低い代わりにランクを増加させることを可能にする。かかる改善は、ＯＴＴサービスの品質または応答性を向上させるなどの利益を提供してもよい。
【０１４６】
測定手順は、データ転送率、レイテンシ、および１つまたは複数の実施形態を改善する際の他の因子を監視する目的のために提供されてもよい。更に、測定結果の変動に応答して、ホストコンピュータ９１０とＵＥ  ９３０との間でＯＴＴ接続９５０を再設定する任意のネットワーク機能性があってもよい。測定手順、および／またはＯＴＴ接続９５０を再設定するネットワーク機能性は、ホストコンピュータ９１０のソフトウェア９１１およびハードウェア９１５の形、またはＵＥ  ９３０のソフトウェア９３１およびハードウェア９３５の形で、または両方で実施されてもよい。実施形態では、センサ（図示なし）は、ＯＴＴ接続９５０が通過する通信デバイスにおいて、またはそれと関連して展開されてもよく、センサは、上記に例示した監視量の値を供給することによって、または監視量を計算もしくは推定するのにソフトウェア９１１、９３１が用いる他の物理的量の値を供給することによって、測定手順に関与してもよい。ＯＴＴ接続９５０の再設定は、メッセージ形式、再送信セッティング、好ましい経路指定などを含んでもよく、再設定は、基地局９２０に必ずしも影響を及ぼさなくてもよく、基地局９２０にとって未知または認識不能であってもよい。かかる手順および機能性は、当該分野において知られており実践されていることがある。特定の実施形態では、測定には、ホストコンピュータ９１０がスループット、伝播時間、レイテンシなどを測定するのを容易にする、所有ＵＥシグナリングが関与してもよい。測定は、伝播時間、エラーなどを監視している状態のＯＴＴ接続９５０を使用して、ソフトウェア９１１および９３１によってメッセージが、特に空または「ダミー」メッセージが送信されるという点で実施されてもよい。
【０１４７】
図１０は、一実施形態による、通信システムにおいて実施される方法を示すフローチャートである。通信システムは、図８および９を参照して記載したものであってもよい、ホストコンピュータ、基地局、およびＵＥを含む。簡潔にするため、図１０に対する参照のみを本セクションに含める。ステップ１０１０で、ホストコンピュータはユーザデータを提供する。ステップ１０１０のサブステップ１０１１（任意であってもよい）で、ホストコンピュータは、ホストアプリケーションを実行することによってユーザデータを提供する。ステップ１０２０で、ホストコンピュータは、ユーザデータをＵＥに伝達する送信を開始する。ステップ１０３０（任意であってもよい）で、基地局は、本開示全体を通して記載する実施形態の教示にしたがって、ホストコンピュータが開始した送信によって伝達されたユーザデータをＵＥに送信する。ステップ１０４０（やはり任意であってもよい）で、ＵＥは、ホストコンピュータが実行したホストアプリケーションと関連付けられたクライアントアプリケーションを実行する。
【０１４８】
図１１は、一実施形態による、通信システムにおいて実施される方法を示すフローチャートである。通信システムは、図８および９を参照して記載したものであってもよい、ホストコンピュータ、基地局、およびＵＥを含む。本開示を簡潔にするため、図１１に対する参照のみを本セクションに含める。方法のステップ１１１０で、ホストコンピュータはユーザデータを提供する。任意のサブステップ（図示なし）で、ホストコンピュータは、ホストアプリケーションを実行することによってユーザデータを提供する。ステップ１１２０で、ホストコンピュータは、ユーザデータをＵＥに伝達する送信を開始する。本開示を通して記載される実施形態の教示にしたがって、送信は基地局を介してもよい。ステップ１１３０（任意であってもよい）で、ＵＥは送信で伝達されるユーザデータを受信する。
【０１４９】
図１２は、一実施形態による、通信システムにおいて実施される方法を示すフローチャートである。通信システムは、図８および９を参照して記載したものであってもよい、ホストコンピュータ、基地局、およびＵＥを含む。本開示を簡潔にするため、図１２に対する参照のみを本セクションに含める。ステップ１２１０（任意であってもよい）で、ＵＥはホストコンピュータによって提供される入力データを受信する。それに加えて、またはその代わりに、ステップ１２２０で、ＵＥはユーザデータを提供する。ステップ１２２０のサブステップ１２２１（任意であってもよい）で、ＵＥは、クライアントアプリケーションを実行することによってユーザデータを提供する。ステップ１２１０のサブステップ１２１１（任意であってもよい）で、ＵＥは、ホストコンピュータが提供した受信入力データに反応してユーザデータを提供する、クライアントアプリケーションを実行する。ユーザデータを提供する際、実行されたクライアントアプリケーションは、ユーザから受信するユーザ入力を更に考慮してもよい。ユーザデータが提供された特定の方式にかかわらず、ＵＥは、サブステップ１２３０（任意であってもよい）で、ホストコンピュータへのユーザデータの送信を開始する。方法のステップ１２４０で、ホストコンピュータは、本開示を通して記載される実施形態の教示にしたがって、ＵＥから送信されたユーザデータを受信する。
【０１５０】
図１３は、一実施形態による、通信システムにおいて実施される方法を示すフローチャートである。通信システムは、図８および９を参照して記載したものであってもよい、ホストコンピュータ、基地局、およびＵＥを含む。本開示を簡潔にするため、図１３に対する参照のみを本セクションに含める。ステップ１３１０（任意であってもよい）で、本開示を通して記載される実施形態の教示にしたがって、基地局はユーザデータをＵＥから受信する。ステップ１３２０（任意であってもよい）で、基地局は、ホストコンピュータに対する受信したユーザデータの送信を開始する。ステップ１３３０（任意であってもよい）で、ホストコンピュータは、基地局が開始した送信で伝達されるユーザデータを受信する。
【０１５１】
図１４は、無線ネットワーク（例えば、図５に示される無線ネットワーク）の装置１４００の概略ブロック図を示している。装置は、無線デバイスまたはネットワークノード（例えば、図５に示される無線デバイス５１０またはネットワークノード５６０）で実施されてもよい。装置１４００は、図１５を参照して記載される例示の方法、および場合によっては本明細書に開示される他の任意のプロセスまたは方法を実施するように動作可能である。また、図１５の方法は必ずしも装置１４００のみによって実施されなくてもよいことが理解されるべきである。方法の少なくともいくつかの動作は、１つまたは複数の他のエンティティによって実施することができる。
【０１５２】
仮想装置１４００は、１つもしくは複数のマイクロプロセッサまたはマイクロコントローラを含んでもよい、処理回路構成、ならびにＤＳＰ、専用デジタル論理など含んでもよい、他のデジタルハードウェアを備えてもよい。処理回路構成は、ＲＯＭ、ＲＡＭ、キャッシュメモリ、フラッシュメモリデバイス、光学記憶デバイスなどの１つまたは複数のタイプのメモリを含んでもよい、メモリに格納されたプログラムコードを実行するように設定されてもよい。メモリに格納されたプログラムコードとしては、１つもしくは複数の電気通信および／またはデータ通信プロトコルを実行するプログラム命令、ならびにいくつかの実施形態において本明細書に記載される技術の１つもしくは複数を実施する命令が挙げられる。いくつかの実装形態では、処理回路構成は、本開示の１つまたは複数の実施形態による対応する機能を装置１４００のユニットに実施させるのに使用されてもよい。
【０１５３】
図１４に示されるように、装置１４００は、受信ユニット１４０２と、決定ユニット１４０４と、調節ユニット１４０６と、送信ユニット１４０８とを備える。これらのユニットは、図１５の方法によって実施される対応する動作を実施するように設定される。
【０１５４】
「ユニット」という用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路構成、デバイス、モジュール、プロセッサ、メモリ、論理固体および／または離散的デバイス、コンピュータプログラムまたは命令を含んでもよい。
【０１５５】
図１５は、いくつかの実施形態による方法を示している。
【０１５６】
図１５を参照すると、方法は、マルチアンテナ送信設定を特定するシグナリングを受信すること（Ｓ１５０５）と、ＮＺＰを有するアンテナポートの数である第１の数のアンテナポートを、（ａ）ｇＮＢによって示されるプリコーダで使用される第３の数のポート、および（ｂ）ｇＮＢによって示される第４の数の空間レイヤのうちの１つとして、マルチアンテナ送信設定にしたがって決定されるアンテナポートの第２の数で割ったものである、電力換算比Ｒを決定すること（Ｓ１５１０）と、初期電力値Ｐ０を少なくとも比Ｒによって調節してＰを決定すること（Ｓ１５１５）と、電力Ｐを使用して物理チャネルを送信すること（Ｓ１５２０）とを含んでもよい。
【０１５７】
あるいは、方法は、物理チャネルの送信に用いられる第１の数のアンテナポートと、コードブックベースまたは非コードブックベースの送信方式が使用されるかを特定するマルチアンテナ送信設定とを特定するシグナリングを受信すること（Ｓ１５０５）と、アンテナポートの数と、ＮＺＰを有するアンテナポートの数である第２の数のアンテナポートと、マルチアンテナ設定およびＵＥコヒーレント能力の少なくとも１つとにしたがって、電力換算比Ｒを決定すること（Ｓ１５１０）と、少なくとも比Ｒによって初期電力値Ｐ０を調節してＰを決定すること（Ｓ１５１５）と、電力Ｐを使用して物理チャネルを送信すること（Ｓ１５２０）とを含んでもよい。
【０１５８】
図１６は、本開示のいくつかの実施形態によるＵＥの動作を示すフローチャートである。図示されるように、ＵＥは、ＵＬ電力制御に使用される電力Ｐを導き出す（ステップ１６００）。本明細書に記載するように、ＵＬ電力制御はＰＵＳＣＨ送信のためのものである。ＵＥは、いくつかの規則にしたがってアンテナポートセットに使用される第２の電力Ｐ’を判断（決定）する（ステップ１６０２）。この規則は、本明細書に記載する規則のいずれか（例えば、実施形態１〜３に関して上述した規則のいずれか）であってもよい。本明細書に記載するように、いくつかの実施形態では、規則は、ＰＵＳＣＨ送信に関してＵＥがコードブックベースの送信または非コードブックベースの送信のどちらの送信を利用しているかに応じて決まる規則であり、アンテナポートセットは、ＰＵＳＣＨ送信がＮＺＰを用いて送信されるアンテナポートである。やはり本明細書に記載するように、いくつかの実施形態では、規則は、完全コヒーレンス、部分コヒーレンス、または非コヒーレンス送信に関するＵＥの能力に応じて決まる規則であり、アンテナポートセットは、ＰＵＳＣＨ送信がＮＺＰを用いて送信されるアンテナポートである。これらおよび追加の実施形態に関する更なる詳細は上記に記載されており、したがってここでは繰り返さない。
【０１５９】
本開示のいくつかの選択された実施形態は次の通りである。
【０１６０】
実施形態１：マルチアンテナ送信向けに設定された物理チャネルの送信電力ＰをＵＥが決定する方法（１５００）であって、マルチアンテナ送信設定を特定するシグナリングを受信すること（Ｓ１５０５）と、非ゼロ電力を有するアンテナポートの数である第１の数のアンテナポートを、（ａ）ｇＮＢによって示されるプリコーダで使用される第３の数のポート、および（ｂ）ｇＮＢによって示される第４の数の空間レイヤのうちの１つとして、マルチアンテナ送信設定にしたがって決定されるアンテナポートの第２の数で割ったものである、電力換算比Ｒを決定すること（Ｓ１５１０）と、初期電力値Ｐ０を少なくとも比Ｒによって調節してＰを決定すること（Ｓ１５１５）と、電力Ｐを使用して物理チャネルを送信すること（Ｓ１５２０）とを含む、方法。
【０１６１】
実施形態２：ＵＥがコードブックを使用して物理チャネルを送信するように設定され、コードブックが、アンテナポートの第２の数における送信に対応し、少なくとも第１および第２のプリコーダを含み、第１のプリコーダがゼロの大きさの要素を含み、第２のプリコーダが非ゼロの大きさの要素のみを含む、実施形態１の方法。
【０１６２】
実施形態３：送信するステップが、複数のアンテナポートを使用して物理チャネルを送信することを更に含み、電力Ｐがアンテナポートセットの間で均等に分割され、セットの各アンテナポートが非ゼロ電力を使用して物理チャネルを送信する、実施形態１〜２のいずれかの方法。
【０１６３】
実施形態４：マルチアンテナ送信設定が、物理チャネルを送信するのにコードブックベースの送信または非コードブックベースの送信のどちらが使用されるかを特定し、非コードブックベースの動作が使用される場合、第２の数のアンテナポートが第４の数のアンテナポートとして決定される、実施形態１〜３のいずれかの方法。
【０１６４】
実施形態５：非コードブックベースの送信が物理チャネルを送信するのに使用され、物理チャネルのプリコーディングを計算するのに使用されるＣＳＩ−ＲＳを用いてＵＥが設定される場合、第２の数のアンテナポートが第４の数のアンテナポートとして決定され、他の場合は、第２の数のアンテナポートが第３の数のアンテナポートとして決定される、実施形態１〜４のいずれかの方法。
【０１６５】
実施形態６：マルチアンテナ送信設定が、完全コヒーレンス、部分コヒーレンス、または非コヒーレンスの少なくとも１つを含むＵＥのコヒーレンス能力にしたがって、物理チャネルが送信されるかを特定する、実施形態１〜５のいずれかの方法。
【０１６６】
実施形態７：マルチアンテナ送信向けに設定された物理チャネルの送信電力ＰをＵＥが決定する方法（１５００）であって、物理チャネルの送信に用いられる第１の数のアンテナポートと、コードブックベースまたは非コードブックベースの送信方式が使用されるかを特定するマルチアンテナ送信設定とを特定するシグナリングを受信すること（Ｓ１５０５）と、アンテナポートの数と、非ゼロ電力を有するアンテナポートの数である第２の数のアンテナポートと、マルチアンテナ設定およびＵＥコヒーレント能力の少なくとも１つとにしたがって、電力換算比Ｒを決定すること（Ｓ１５１０）と、少なくとも比Ｒによって初期電力値Ｐ０を調節してＰを決定すること（Ｓ１５１５）と、電力Ｐを使用して物理チャネルを送信すること（Ｓ１５２０）とを含む、方法。
【０１６７】
実施形態８：Ｒが所定値のセットから選択される、実施形態７の方法。
【０１６８】
実施形態９：Ｒが第１および第２の所定値のうち小さい方であり、第１の値が、換算係数と第２の数のアンテナポートおよび第１の数のアンテナポートの比との積として計算され、換算係数が、マルチアンテナ設定およびＵＥコヒーレンス能力の少なくとも１つにしたがって決定される、実施形態７〜８のいずれかの方法。
【０１６９】
実施形態１０：ＵＥがコードブックを使用して物理チャネルを送信するように設定され、コードブックが、アンテナポートの第１の数における送信に対応し、少なくとも第１および第２のプリコーダを含み、第１のプリコーダがゼロの大きさの要素を含み、第２のプリコーダが非ゼロの大きさの要素のみを含む、実施形態７〜９のいずれかの方法。
【０１７０】
実施形態１１：送信するステップが、複数のアンテナポートを使用して物理チャネルを送信することを更に含み、電力Ｐがアンテナポートセットの間で均等に分割され、セットの各アンテナポートが非ゼロ電力を使用して物理チャネルを送信する、実施形態７〜１０のいずれかの方法。
【０１７１】
実施形態１２：マルチアンテナ送信設定が、完全コヒーレンス、部分コヒーレンス、または非コヒーレンスの少なくとも１つを含むＵＥのコヒーレンス能力にしたがって、物理チャネルが送信されるかを特定する、実施形態７〜１１のいずれかの方法。
【０１７２】
実施形態１３：比Ｒが最大１である、実施形態７〜１２のいずれかの方法。
【０１７３】
実施形態１４：マルチアンテナ設定がコードブックベースの送信を特定したときであって、（ａ）ＵＥコヒーレンス能力が完全コヒーレンスを含み、第１の数のアンテナポートが４つ、第２の数のアンテナポートが３つ以下、（ｂ）ＵＥコヒーレンス能力が完全コヒーレンスを含み、第１の数のアンテナポートが２つ、第２の数のアンテナポートが１つ、（ｃ）ＵＥコヒーレンス能力が完全コヒーレンスを含まず、部分コヒーレンスを含み、第１の数のアンテナポートが４つ、第２の数のアンテナポートが１つ、という条件の組み合わせの１つが満たされたときのみ、比Ｒが１未満である、実施形態７〜１３のいずれかの方法。
【０１７４】
実施形態１５：ＵＬ電力制御に使用される電力Ｐを導き出すように設定され、電力Ｐがアンテナポートセットに使用される電力を判断するのに使用され、判断が何らかの規則にしたがって決定される、処理回路構成を備えるユーザ機器（ＵＥ）。
【０１７５】
実施形態１６：規則が、非ゼロＰＵＳＣＨを送信するアンテナポートの間で均等に分割される第２の電力Ｐ’を導き出す、実施形態１５のＵＥ。
【０１７６】
実施形態１７：前記第２の電力が、非ゼロＰＵＳＣＨ送信のアンテナポートの数とＰＵＳＣＨ送信に使用されるアンテナポートの数との比を用いて、前記第１の電力Ｐを基準化することによって導き出される、実施形態１５〜１６のいずれかのＵＥ。
【０１７７】
実施形態１８：規則が、ＰＵＳＣＨ送信にコードブックベースの送信または非コードブックベースの送信のどちらを利用しているかに応じて決まる、実施形態１５〜１７のいずれかのＵＥ。
【０１７８】
実施形態１９：規則が、完全コヒーレンス、部分コヒーレンス、または非コヒーレンスに関するＵＥ能力に応じて決まる、実施形態１５〜１７のいずれかのＵＥ。
【０１７９】
実施形態２０：第２の電力が、第１の電力Ｐを比で基準化することによって導き出され、前記比が、コードブックベースの送信または非コードブックベースのＰＵＳＣＨ送信、完全コヒーレンス、部分コヒーレンス、もしくは非コヒーレンスに関するＵＥ能力、非ゼロＰＵＳＣＨ送信のアンテナポートの数、ＰＵＳＣＨ送信に使用されるアンテナポートの数、およびＵＥにおけるアンテナポートの数のうち任意の１つまたは複数に応じて関数として導き出される、実施形態１５〜１９のいずれかのＵＥ。
【０１８０】
実施形態２１：規則が、第２の電力が前記第１の電力よりも小さくてもよいようなものである、実施形態１５〜２０のいずれかのＵＥ。
【０１８１】
実施形態２２：規則が、ＵＥ能力の少なくとも２つに関するランク１の送信の場合、ならびに／あるいはコードブックベースおよび非コードブックベース両方の送信の場合、第２の電力が第１の電力と等しくてもよいようなものである、実施形態１５〜２１のいずれかのＵＥ。
【０１８２】
以下の略語の少なくとも一部が本開示で使用されることがある。略語の間に不一致がある場合、上記でどのように使用されているかを優先するものとする。以下で複数回列挙されている場合、最初の列挙をその後の列挙よりも優先するものとする。
２Ｇ  第２世代
３Ｇ  第３世代
３ＧＰＰ  第３世代パートナーシッププロジェクト
４Ｇ  第４世代
５Ｇ  第５世代
ＡＣ  交流
ＡＰ  アクセスポイント
ＡＳＩＣ  特定用途向け集積回路
ＡＴＭ  非同期転送モード
ＢＳ  基地局
ＢＳＣ  基地局コントローラ
ＢＴＳ  無線送受信機基地局
ＣＢ  コードブックベースのユーザ機器能力
ＣＤ  コンパクトディスク
ＣＤＭＡ  符号分割多重化アクセス
ＣＯＴＳ  商用オフザシェルフ
ＣＰＥ  顧客構内設備
ＣＰ−ＯＦＤＭ  サイクリックプレフィックス直交周波数分割多重
ＣＰＵ  中央処理装置
ＣＳＩ−ＲＳ  チャネル状態情報参照信号
Ｄ２Ｄ  デバイス間
ＤＡＳ  分散アンテナシステム
ＤＣ  直流
ＤＩＭＭ  デュアルインラインメモリモジュール
ＤＬ  ダウンリンク
ＤＳＰ  デジタル信号プロセッサ
ＤＶＤ  デジタルビデオディスク
ＥＥＰＲＯＭ  電気消去可能プログラマブル読出し専用メモリ
ｅＭＴＣ  拡張型マシンタイプ通信
Ｅ−ＳＭＬＣ  エボルブドサービングモバイル位置情報センタ
ｅＮＢ  発展型ノードＢ
ＥＰＲＯＭ  消去可能プログラマブル読出し専用メモリ
ＦＰＧＡ  フィールドプログラマブルゲートアレイ
ＧＨｚ  ギガヘルツ
ｇＮＢ  ＮＲの基地局
ＧＰＳ  全地球測位システム
ＧＳＭ  モバイル通信用グローバルシステム
ＨＤＤＳ  ホログラフィックデジタルデータ記録
ＨＤ−ＤＶＤ  高密度デジタル多用途ディスク
Ｉ／Ｏ  入力および出力
ＩｏＴ  物のインターネット
ＩＰ  インターネットプロトコル
ＬＡＮ  ローカルエリアネットワーク
ＬＥＥ  ラップトップ埋込み機器
ＬＭＥ  ラップトップ搭載機器
ＬＴＥ  ロングタームエボリューション
Ｍ２Ｍ  マシンツーマシン
ＭＡＮＯ  管理およびオーケストレーション
ＭＣＥ  マルチセル／マルチキャスト調整エンティティ
ＭＣＳ  変調およびコーディング状態
ＭＤＴ  ドライブ試験の最小化
ＭＨｚ  メガヘルツ
ＭＩＭＯ  多入力多出力
ｍｍ  ミリメートル
ＭＳＲ  マルチスタンダード無線
ＭＴＣ  マシンタイプ通信
ＮＢ−ＩｏＴ  狭帯域の物のインターネット
ＮＩＣ  ネットワークインターフェースコントローラ
ＮＣＢ  非コードブックベースのユーザ機器能力
ＮＦＶ  ネットワーク機能仮想化
ＮＲ  新無線
ＮＺＰ  非ゼロ電力
Ｏ＆Ｍ  動作およびメンテナンス
ＯＳＳ  動作サポートシステム
ＯＴＴ  オーバーザトップ
ＰＡ  電力増幅器
ＰＣ  電力制御
ＰＤＡ  携帯情報端末
ＰＲＯＭ  プログラマブル読出し専用メモリ
ＰＳＴＮ  公衆交換電話網
ＰＵＳＣＨ  物理アップリンク共有チャネル
ＲＡＩＤ  独立ディスクの冗長アレイ
ＲＡＭ  ランダムアクセスメモリ
ＲＡＮ  無線アクセスネットワーク
ＲＡＴ  無線アクセス技術
ＲＦ  無線周波数
ＲＮＣ  無線ネットワークコントローラ
ＲＯＭ  読出し専用メモリ
ＲＲＨ  遠隔無線ヘッド
ＲＲＵ  遠隔無線装置
ＲＵＩＭ  リムーバブルユーザ識別
ＳＤＲＡＭ  同期式動的ランダムアクセスメモリ
ＳＩＭ  加入者識別モジュール
ＳＩＮＲ  信号対干渉雑音比
ＳＮＲ  信号雑音比
ＳＯＣ  システムオンチップ
ＳＯＮ  自己最適化ネットワーク
ＳＯＮＥＴ  同期光通信ネットワーク
ＳＲＩ  サウンディング参照信号リソースインジケータ
ＳＲＳ  サウンディング参照信号
ＴＣＰ  送信制御プロトコル
ＴＦＲＥ  時間／周波数リソース要素
ＴＰＣ  送信電力制御
ＴＰＭＩ  送信プリコーダマトリクスインジケータ
ＴＲＩ  送信ランクインジケータ
ＴＲＰ  送受信ポイント
ＴＳ  技術仕様書
ＵＥ  ユーザ機器
ＵＬ  アップリンク
ＵＭＴＳ  ユニバーサル移動体通信システム
ＵＳＢ  ユニバーサルシリアルバス
ＵＴＲＡＮ  ユニバーサル地上無線アクセスネットワーク
Ｖ２Ｉ  路車間
Ｖ２Ｖ  車車間
Ｖ２Ｘ  ビークルトゥエブリシング
ＶＭＭ  仮想マシンモニタ
ＶＮＥ  仮想ネットワーク要素
ＶＮＦ  仮想ネットワーク機能
ＶｏＩＰ  ボイスオーバーインターネットプロトコル
ＷＡＮ  広域ネットワーク
ＷＣＤＭＡ  広帯域符号分割多重アクセス
ＷＤ  無線デバイス
ＷｉＭａｘ  ワールドワイド・インターオペラビリティ・フォー・マイクロウェーブ・アクセス
ＷＬＡＮ  ワイドローカルエリアネットワーク
【０１８３】
当業者であれば、本開示の実施形態に対する改善および修正を認識するであろう。かかる改善および修正は全て、本明細書に開示する概念の範囲内と見なされる。
【図１】
0006866504.tif 000034
【図２】
0006866504.tif 000035
【図３】
0006866504.tif 000036
【図４】
0006866504.tif 000037
【図５】
0006866504.tif 000038
【図６】
0006866504.tif 000039
【図７】
0006866504.tif 000040
【図８】
0006866504.tif 000041
【図９】
0006866504.tif 000042
【図１０】
0006866504.tif 000043
【図１１】
0006866504.tif 000044
【図１２】
0006866504.tif 000045
【図１３】
0006866504.tif 000046
【図１４】
0006866504.tif 000047
【図１５】
0006866504.tif 000048
【図１６】
0006866504.tif 000049